(57)【要約】【課題】「透明型の遊技機」において、遊技盤、若しくは、その構成部分の汎用性を高める。【解決手段】遊技盤１０と、画像表示部を有する画像表示装置を備える。遊技盤が、前面部に遊技領域が形成され、盤部品が装着される前方板状部５００と、前後に貫通する第１の貫通部６１１を具備し、前面部にセル画部Ｇが設けられる中間板状部６００と、前後に貫通し、第１の貫通部６１１と前後に連通する第２の貫通部７１１を具備する後方板状部７００とを着脱可能に積層して構成される。前方板状部５００において、少なくとも、セル画部Ｇの前方に位置する部位と、第１の貫通部６１１の前方に位置する部位とが透明部とされ、画像表示部が、第１の貫通部６１１及び第２の貫通部７１１によって遊技盤１０の前方から視認可能な状態とされる。【選択図】図９
2008067894.tif 000002
【特許請求の範囲】
【請求項１】
遊技盤と、所定の画像を表示するための画像表示部を有する画像表示装置と、を備える遊技機であって、
前記遊技盤が、
略板状体を用いて構成されると共に前面部に遊技領域が形成され、所定の盤部品が装着される前方板状部と、
該前方板状部の後方に配置される略板状体を用いて構成され、前後に貫通する第１の貫通部を具備すると共に、前面部にセル画部が設けられる中間板状部と、
該中間板状部の後方に配置される略板状体を用いて構成され、前後に貫通すると共に、前記第１の貫通部と前後に連通する第２の貫通部を具備する後方板状部と、
を着脱可能に積層して構成され、
前記前方板状部において、少なくとも、前記セル画部の前方に位置する部位と、前記第１の貫通部の前方に位置する部位と、が透明部とされ、
前記画像表示部が、前記第１の貫通部及び前記第２の貫通部によって前記遊技盤の前方から視認可能な状態とされることを特徴とする遊技機。
【請求項２】
遊技盤と、所定の画像を表示するための画像表示部を有する画像表示装置と、を備える遊技機であって、
前記遊技盤が、
略板状体を用いて構成されると共に前面部に遊技領域が形成され、所定の盤部品が装着される前方板状部と、
該前方板状部の後方に配置される略板状体を用いて構成され、前後に貫通する第１の貫通部を具備すると共に、所定の遊技機部品を収納するための凹部を、後方に開口する状態に備える中間板状部と、
該中間板状部の後方に配置される略板状体を用いて構成され、前後に貫通すると共に、前記第１の貫通部と前後に連通する第２の貫通部を具備する後方板状部と、
を着脱可能に積層して構成され、
前記前方板状部において、少なくとも、前記第１の貫通部の前方に位置する部位が透明部とされ、
前記画像表示部を、前記第１の貫通部及び前記第２の貫通部によって前記遊技盤の前方から視認可能な状態とされることを特徴とする遊技機。
【請求項３】
前記遊技機部品は、配線基板と、該配線基板に装着されるランプ装置と、を備えると共に、
前記中間板状部において、前記ランプ装置の前方に位置する部位が光透過部とされ、
前記前方板状部において、前記ランプ装置の前方に位置する部位が光透過部とされることを特徴とする請求項２に記載の遊技機。
【請求項４】
前記前方板状部と、前記中間板状部と、前記後方板状部とにおいて、前方から視認した平面形状が略等しくされることを特徴とする請求項１〜３の何れか一項に記載の遊技機。
【請求項５】
前記前方板状部と、前記中間板状部と、前記後方板状部とのうちの何れか１個若しくは２個に、位置決め用突部を設け、
前記前方板状部と、前記中間板状部と、前記後方板状部とのうちの残りに、前記位置決め用突部が嵌合される位置決め用嵌合部が設けられることを特徴とする請求項１〜４の何れか一項に記載の遊技機。
【請求項６】
遊技盤と、所定の画像を表示するための画像表示部を有する画像表示装置と、を備える遊技機であって、
前記遊技盤が、
略板状体を用いて構成され、前面部に遊技領域が形成され、所定の盤部品が装着されると共に、所定の遊技機部品を収納するための凹部を、後方に開口する状態に備える前方板状部と、
該前方板状部の後方に配置される略板状体を用いて構成され、前後に貫通する貫通部を具備する後方板状部と、
を着脱可能に積層して構成され、
前記前方板状部において、少なくとも、前記貫通部の前方に位置する部位が透明部とされ、
前記画像表示部を、前記貫通部によって前記遊技盤の前方から視認可能な状態とされることを特徴とする遊技機。
【請求項７】
前記遊技機部品は、配線基板と、該配線基板に装着されるランプ装置と、を備えると共に、
前記前方板状部において、前記ランプ装置の前方に位置する部位が光透過部とされることを特徴とする請求項６に記載の遊技機。
【請求項８】
前記前方板状部の後面部にはセル画部が設けられ、
前記前方板状部において、前記セル画部の前方に位置する部位が透明部とされることを特徴とする請求項６又は７に記載の遊技機。
【発明の詳細な説明】
【技術分野】
【０００１】
本発明は遊技機に関し、特に、いわゆるセブン機、羽根物、権利物又はアレンジボール等の弾球遊技機に適用されるものである。
【背景技術】
【０００２】
弾球遊技機は、例えば、（１）パチンコホールの島設備の設置部位に固定される外枠と、（２）この外枠の左右方向に沿った一側に開閉自在に取り付けられるベース枠部材（中枠と称する枠状の部材である。）と、（３）このベース枠部材の保持部によって、前面部を前方（つまり、遊技者の方向）に向けた状態で、しかも、着脱自在な状態に保持される遊技盤と、（４）遊技盤の前面部を覆うガラス板を具備するガラス扉枠（前面枠）と、（５）ベース枠部材（中枠）の前面部のうちで遊技盤の保持位置よりも下方側の部位に開閉自在に取り付けられると共に、遊技機内から排出される遊技球を貯留するための上皿部材等を備えている。
【０００３】
この遊技盤の前面部には、種々の盤部品（例えば、レール部材、各種の入賞装置、入球ゲート、障害釘、風車、ランプ装置等）が装着されている。つまり、この遊技盤の前面部には、「外側レールと内側レールとを備えるレール部材」が前方に突出する状態に配置される。即ち、遊技盤の前面部には、（Ａ）長尺な帯状板（一般には、金属製）を、開口部を下方若しくは側方に向けた略円弧形状（Ｃの字状）としつつ配置して構成される外側レールと、（Ｂ）外側レールの配置箇所の内側において、長尺な帯状板（一般には、金属製）を、開口部を上方に向けた略円弧形状（Ｃの字状）としつつ配置して構成される内側レールと、が配設される。
【０００４】
そして、この遊技盤の前面部において、外側レールと内側レールとが、略円形若しくは、略楕円形に略取り囲む部位が遊技領域と称される。また、遊技盤の前面部の左端側において、外側レールと内側レールとの間に形成される球通路が、誘導通路と称される。更に、遊技領域内において、最下部にアウト口が設けられ、この最下部よりも上方の位置に、各種の入賞装置（大入賞装置、始動入賞装置、その他の入賞装置等）、入球ゲート、画像表示装置、障害釘等が配設されている。ここで、画像表示装置とは、遊技に関連する画像を表示するための表示装置であって、例えば、液晶表示装置によって構成される。更に、遊技盤の前面部において、遊技領域内の部位には風車や障害釘等が装着され、遊技盤の前面部において、遊技領域内の部位や遊技領域外の部位には、ランプ装置等が装着される。
【０００５】
また、ベース枠部材の前方であって、遊技盤の下方の部位には、発射装置と、左上がり傾斜状の発射レールとが配置されている。そして、この弾球遊技機においては、発射装置から打ち出された遊技球が、発射レールに沿って上昇し、更に、誘導通路を経て遊技盤の左上部に導かれる。そして、この遊技球は、内側レールの左上端部と、外側レールの左上端部との間に形成される入口部を通じて遊技領域内に放出され、この遊技領域を流下する構成とされている。
【０００６】
更に、この種の弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果の確定表示等を行う判定結果表示手段と、を備えている。尚、（ａ）専用の表示装置（前述の画像表示装置とは別の表示装置の意味で用いる。）、若しくは、（ｂ）前述の画像表示装置が、「判定結果表示手段」として機能してもよいし、（ｃ）専用の表示装置及び画像表示装置の双方が、「判定結果表示手段」として機能してもよい。
【０００７】
この「判定結果表示手段」によって、大当り表示（当否判定の結果が、大当りであったことを示す表示）がなされると、遊技機の遊技状態が「通常遊技状態」から「大当り遊技状態」に移行する。そして、遊技機の遊技状態が「大当り遊技状態」に移行すると、「大入賞装置」の状態が、所定の態様に従って、「遊技球を受け入れ可能な状態」、若しくは、「遊技球を受け入れ容易な状態」に変化する。
【０００８】
ところで、この種の遊技機を、（１）不透明な素材（合板）を用いて構成される遊技盤を備える遊技機（以下、「一般型の遊技機」という。）と、（２）透明な素材（透明板）を用いて構成される遊技盤を備える遊技機（以下、「透明型の遊技機」という。）と、に大別することができる。このうち、後者の「透明型の遊技機」としては、遊技盤を光透過性を有する合成樹脂で形成し、この遊技盤の前面部にレール部材、障害釘、入賞装置等の盤部品を装着すると共に、この遊技盤の背後に電飾装置（ランプ装置等）は配置した遊技機が開示されている（「特許文献１」を参照、以下、「従来例」という。）。尚、本明細書において、「透明型の遊技機」という場合は、遊技盤全体が透明である場合（例えば、従来例の場合）のみならず、遊技盤の一部（特に、前面部側）が透明である場合（例えば、後述する実施例の場合）も含むことととする。
【特許文献１】特開平１０−１７９８５４号公報
【発明の開示】
【発明が解決しようとする課題】
【０００９】
この従来例に係る遊技機においては、以下の点で改良の余地ある。つまり、この従来例には、「基盤上に化粧板を接合（超音波融着等）して構成される遊技盤」が開示されている。このうち、この基盤は、光透過性を有する合成樹脂を用いて構成されている。また、化粧板は、透明な合成樹脂製フィルムからなると共に裏面に、当該遊技機の機種に対応する特定のセル画（特定のキャラクター等）が印刷された表面層と、この表面層の裏側に接着等によって一体化された裏打層と、を備えている。更に、この遊技盤の前面部には、当該遊技機の機種に対応した特定の態様の盤部品（特定の種類、数、配置間隔の盤部品）が装着されている。
【００１０】
即ち、この従来例においては、遊技盤を、セル画が埋設状に形成された状態に、しかも、「構成部分（基盤、表面層、裏打層）への分割が不可能な状態」に作製した後、この遊技盤の前面部に特定の態様の盤部品が装着される。このため、遊技機の製造現場（製造メーカ）においては、遊技機の機種が変更される度（当該遊技機が扱う、キャラクター等が変更される度）に、遊技盤全体を変更することが必要となる。
【００１１】
従って、この従来例においては、例えば、ユーザ（パチンコホール等）における購入予定の変更（キャンセル等）等を生ずると、遊技盤全体が、「もはや、使用される可能性の無い、無駄な在庫（以下、不良在庫という。）」となる可能性がある。つまり、特定の機種の遊技機を構成する遊技盤（例えば、特定キャラクターがあしらわれた遊技盤）を所定数、製造したが、事後的な事情変更（キャンセル等）により、特定数の遊技盤が使用されず、不良在庫となる場合がある。この場合、この遊技盤全体が使用されず、廃棄されることになるため、資源の無駄を生じたり、相当量の廃棄物（特に、リサイクルが困難な樹脂製の廃棄物）を生ずることになる。
【００１２】
よって、「透明型の遊技機」においては、遊技盤に対して適切な改良を施し、遊技盤全体、若しくは、その構成部分の汎用性を高め、資源の有効利用や廃棄物の減量化を図ることが望ましい。尚、不良在庫となる遊技盤において、構成部品の再利用（他の機種の遊技機への転用）を図ろうとする場合、通常、その手間が多くなる。つまり、遊技盤の前面部に装着された盤部品や、遊技盤の背面部に装着される背面部品（球通路を構成するための部品、ランプ装置、基板等）を使用するためには、盤部品や背面部品を一律に遊技盤から取り外す必要があるからである。
【００１３】
本発明は、このような問題を解決するためになされたものであり、その目的とするところは、「透明型の遊技機」において、遊技盤、若しくは、その構成部分の汎用性を高めることである。
【００１４】
本発明の他の目的は、「透明型の遊技機」において、構成部品の円滑な再利用を図ることである。
【課題を解決するための手段】
【００１５】
請求項１に記載の遊技機は、
遊技盤と、所定の画像を表示するための画像表示部を有する画像表示装置と、を備える遊技機であって、
前記遊技盤が、
略板状体を用いて構成されると共に前面部に遊技領域が形成され、所定の盤部品が装着される前方板状部と、
該前方板状部の後方に配置される略板状体を用いて構成され、前後に貫通する第１の貫通部を具備すると共に、前面部にセル画部が設けられる中間板状部と、
該中間板状部の後方に配置される略板状体を用いて構成され、前後に貫通すると共に、前記第１の貫通部と前後に連通する第２の貫通部を具備する後方板状部と、
を着脱可能に積層して構成され、
前記前方板状部において、少なくとも、前記セル画部の前方に位置する部位と、前記第１の貫通部の前方に位置する部位と、が透明部とされ、
前記画像表示部が、前記第１の貫通部及び前記第２の貫通部によって前記遊技盤の前方から視認可能な状態とされることを特徴とする。
【００１６】
請求項１の発明では、前方板状部と、中間板状部と、後方板状部と、を着脱可能に積層して、遊技盤を構成するため、遊技盤、若しくは、その構成部分の汎用性を高めたり、構成部品の円滑な再利用を図ることができる。例えば、特定機種の遊技盤を不良在庫として抱えそうになったとしても、「中間板状部のみ」、若しくは、「前方板状部及び中間板状部」を交換すれば、当該遊技盤を、別機種の遊技盤として使用することができる。
【００１７】
より具体的には、盤部品の構成や配置の変更を要求されない場合は、中間板状部のみを、異なるセル画部（異なるセル画が描かれたセル画部）を備えるものに交換すれば、当該遊技盤を、別機種の遊技盤として使用することができる（以下、「第１の転用態様」という。）。また、盤部品の構成や配置の変更を要求される場合は、中間板状部を異なるセル画部を備えるものに交換すると共に、前方板状部を、盤部品の構成や配置が異なるものに交換することで、別機種の遊技盤として使用することができる（以下、「第２の転用態様」という。）。
【００１８】
即ち、第１の転用態様によると、特定数の遊技盤が不良在庫になりかけた場合、前方板状部及び後方板状部を、他の機種の遊技機を構成する遊技盤に転用できる。また、第２の転用態様によると、特定数の遊技盤が不良在庫になりかけた場合、後方板状部を、他の機種の遊技機を構成する遊技盤に転用できる。従って、請求項１の発明によると、遊技盤、若しくは、その構成部分の汎用性を高めることができる。
【００１９】
また、第１の転用態様においては、盤部品を、前方板状部に装着されたままの状態で転用でき、背面部品（球通路を構成するための部品等）を、後方板状部に装着されたままの状態で転用できる。更に、第２の転用態様においては、背面部品（球通路を構成するための部品等）を、後方板状部に装着されたままの状態で転用できる。従って、請求項１の発明によると、構成部品の円滑な再利用を図ることができる。
【００２０】
よって、請求項１の発明によると、所謂「セル替（つまり、セル画の異なる遊技機への機種変更）」を簡易かつ安価に行い、不良在庫を抱えそうになった場合のリスクを、少なくすることができる。
【００２１】
また、請求項１の発明では、前方板状部と、中間板状部と、後方板状部と、を着脱可能に積層して、遊技盤を構成するため、「透明型の遊技機」において、その製造作業の効率化を図ることができる。例えば、特定の製造メーカが製造する「複数の機種」において、前方板状部の共通化と、後方板状部の共通化とを図れば、機種変更時には、中間板状部のみを新たに設計・製造等すればよいため、遊技機の製造作業の効率化を図ることもできる。特に、中間板状部を社外（協力会社）にて製造する場合、製造メーカにおいては、遊技盤の作製に際し、共通部品としての前方板状部及び後方板状部と、機種毎に変更される中間板状部と、の組立作業を行えば足りるため、遊技機の製造作業が更に効率的なものとなる。
【００２２】
また、前方板状部と、中間板状部と、後方板状部との各々を異なる業者が製造することとすれば、遊技機の製造作業が、更により一層、効率的なものとなる。つまり、この場合、前方板状部に盤部品を装着する作業、後方板状部に背面部品を装着する作業等、「手間の掛かる作業」が、複数業者の分業作業となるため、遊技機の製造作業が、更により一層、効率的なものとなる。
【００２３】
請求項２に記載の遊技機は、
遊技盤と、所定の画像を表示するための画像表示部を有する画像表示装置と、を備える遊技機であって、
前記遊技盤が、
略板状体を用いて構成されると共に前面部に遊技領域が形成され、所定の盤部品が装着される前方板状部と、
該前方板状部の後方に配置される略板状体を用いて構成され、前後に貫通する第１の貫通部を具備すると共に、所定の遊技機部品を収納するための凹部を、後方に開口する状態に備える中間板状部と、
該中間板状部の後方に配置される略板状体を用いて構成され、前後に貫通すると共に、前記第１の貫通部と前後に連通する第２の貫通部を具備する後方板状部と、
を着脱可能に積層して構成され、
前記前方板状部において、少なくとも、前記第１の貫通部の前方に位置する部位が透明部とされ、
前記画像表示部を、前記第１の貫通部及び前記第２の貫通部によって前記遊技盤の前方から視認可能な状態とされることを特徴とする。
【００２４】
請求項２の発明においても、前方板状部と、中間板状部と、後方板状部と、を着脱可能に積層して、遊技盤を構成するため、遊技盤、若しくは、その構成部分の汎用性を高めたり、構成部品の円滑な再利用を図ることができる。例えば、特定機種の遊技盤を不良在庫として抱えそうになったとしても、「中間板状部のみ」、若しくは、「前方板状部及び中間板状部」を交換すれば、当該遊技盤を、別機種の遊技盤として使用することができる。また、請求項２の発明によっても、構成部品の円滑な再利用を図ることができる。よって、請求項２の発明によっても、所謂「セル替」を簡易かつ安価に行い、不良在庫を抱えそうになった場合のリスクを、少なくすることができる。
【００２５】
更に、請求項２の発明によっても、「透明型の遊技機」において、その製造作業の効率化を図ることができる。また、中間板状部を社外（協力会社）にて製造する場合、遊技機の製造メーカにおいては、遊技盤の作製に際し、共通部品としての前方板状部及び後方板状部と、機種毎に変更される中間板状部と、の組立作業を行えば足りるため、遊技機の製造作業が更に効率的なものとなる。更に、前方板状部と、中間板状部と、後方板状部との各々を異なる業者が製造することとすれば、遊技機の製造作業が、更により一層、効率的なものとなる。
【００２６】
加えて、請求項２の発明によると、「遊技盤の背後の空きスペース」を拡大することができる。即ち、前述の「従来例」では、遊技盤の背後、換言すると、遊技盤の背面部よりも後方に離間する位置にランプ装置を配置するため、その分、「遊技盤の背後の空きスペース」が減少する。このため、遊技盤の背後に配置する遊技機部品（背面部品）等が、多くの設計上の制約（サイズ、形状、配置箇所等に関する制約）を受けることがある。例えば、球通路を構成するための部品、各種の基板（主制御基板、演出制御基板等）のサイズや配置箇所を選択する自由度が低くなる可能性がある。
【００２７】
これに対して、請求項２の発明では、遊技盤の内部に遊技機部品を埋設可能な構成を採用する。よって、従来、遊技盤の背後に配置されていた遊技機部品（従来例のランプ装置や、役物駆動基板等）、若しくは、従来、盤部品とされていた部品、の１つ若しくは幾つかを、遊技盤の内部に埋設することができるため、「遊技盤の背後の空きスペース」を拡大することができる。従って、請求項２の発明によると、遊技盤の背後に配置する遊技機部品（背面部品）等が受ける設計上の制約や、遊技盤の前面部における設計上の制約等を、少なくすることができる。このため、例えば、球通路を構成するための部品、各種の基板（主制御基板、演出制御基板等）のサイズや配置箇所を選択する自由度を高くしたり、盤部品のサイズや配置箇所を選択する自由度を高くすることができる。更に、請求項２の発明によると、所定の基板を遊技盤に埋設することを通じて、遊技機全体の厚さ（前後方向に沿った幅）を小さくできるため、遊技機の島設備における遊技機の設置スペースを小さくできる。このため、請求項２の発明によると、パチンコホールの側は、当該パチンコホールの空き空間を拡大して、遊技者に、より良好な遊技スペースを提供することもできる。
【００２８】
尚、請求項１の発明は、請求項２の発明の特徴を備えてもよい。つまり、請求項１の発明において、「中間板状部が、所定の遊技機部品を収納するための凹部を、後方に開口する状態に備えること」を特徴としてもよい（以下、「関連発明１」という）。
【００２９】
ここで、本明細書において、「盤部品」とは、例えば、遊技盤の前面部（前方板状部の前面部）に装着される部材（全体が、遊技盤の前面部より突出していても、一部が遊技盤に埋設されていてもよい。）であり、レール部材、各種の入賞装置、入球ゲート、障害釘、風車、ランプ装置等から選択される。また、本明細書において、「セル画部」とは、「セル画を用いて構成される部分」であり、例えば、印刷（請求項１の発明では、中間板状部の前面部への印刷、請求項８の発明では、前方板状部の後面部への印刷）によって構成されるセル画部や、遊技盤に装着されるシート状物（請求項１の発明では、中間板状部の前面部へ装着される「セル画付きのシート状物、請求項８の発明では、前方板状部の後面部へ装着されるシート状物）」によって構成されるセル画部を例示できる。また、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。更に、「左」とは、遊技者から見て「左」であることを示し、「右」とは「遊技者から見て右」であることを示す。また、中枠、表扉部材（前面枠）、上皿部材、下皿部材等の扉状部材の「左」、「右」、「前」、「後」等は、これらの扉状部材が使用状態にある場合、つまり、閉鎖された状態にある場合を基準としたものである。
【００３０】
請求項３の遊技機は、請求項２に記載の遊技機において、
前記遊技機部品は、配線基板と、該配線基板に装着されるランプ装置と、を備えると共に、
前記中間板状部において、前記ランプ装置の前方に位置する部位が光透過部とされ、
前記前方板状部において、前記ランプ装置の前方に位置する部位が光透過部とされることを特徴とする。
【００３１】
請求項３の発明は、請求項２の発明の具体例を示すものである。この請求項３によると、「遊技盤の前面部の空きスペース」を拡大しつつも、より臨場感に富んだ電飾を行うことができる。つまり、前述の「従来例」では、遊技盤の背後において、遊技盤の背面部と離間する位置にランプ装置を配置するため、（換言すると、遊技球が転動する遊技盤の前面部から離間する位置にランプ装置を配置するため）、このランプ装置によって、臨場感に富んだ電飾を行うことが困難な場合がある。
【００３２】
これに対して、請求項３の発明では、遊技盤の内部にランプ装置を埋設するため（換言すると、遊技球が転動する遊技盤の前面部に近接する位置にランプ装置を配置するため）、このランプ装置によって、臨場感に富んだ電飾を行うことができる。また、請求項３の発明では、ランプ装置のみならず、配線基板をも、遊技盤の内部に埋設し、この配線基板を遊技盤の前面部や背後に配置しなくてもよい点からも、遊技盤の背後や遊技盤の前面部の空きスペースを拡大できる。尚、請求項３の発明においては、ランプ装置が、遊技領域の後方に配置されると、より一層、臨場感に富んむと共に、遊技者の意表をついた電飾を行うことができ、より好適である。
【００３３】
ここで、関連発明１の発明は、請求項３の発明の特徴を備えていてもよい。つまり、関連発明１において、
「前記遊技機部品は、配線基板と、該配線基板に装着されたランプ装置と、を備えると共に、
前記中間板状部のうちで、少なくとも、前記ランプ装置の前方に位置する部位が光透過部とされ、
前記前方板状部において、前記ランプ装置の前方に位置する部位が光透過部とされること」を特徴としてもよい（以下、「関連発明２」という）。
【００３４】
本明細書において、「透明部」とは透き通る（透かして見える）部分であり、無色透明であっても、有色透明であってもよい。更に、「光透過部」とは光を透過する部分であり、「透明部」の上位概念を構成する。例えば、「光透過部」は、「透明部」によって構成されてもよいし、「半透明な部分」によって構成されてもよい。また、前方板状部の全体が透明部とされてもよいが（つまり、前方板状部が透明板で構成されてもよいが）、この場合、前方板状部において、ランプ装置の前方に位置する部位のみならず、前方板状部の全体が、光透過部（透明部）とされることになる。更に、中間板状部の全体が透明部とされてもよいが（つまり、中間板状部が透明板で構成されてもよいが）、この場合、中間板状部において、ランプ装置の前方に位置する部位のみならず、中間板状部の全体が、光透過部（透明部）とされることになる。
【００３５】
請求項４の遊技機は、請求項１〜３の何れか一項に記載の遊技機において、
前記前方板状部と、前記中間板状部と、前記後方板状部とにおいて、前方から視認した平面形状が略等しくされることを特徴とする。
【００３６】
請求項４の発明によると、前方板状部と、中間板状部と、後方板状部の平面形状が略等しくされるため、この平面形状を頼りに、前方板状部と、中間板状部と、後方板状部の重ね合わせを行うことができる。つまり、請求項４の発明によると、前方板状部と、中間板状部と、後方板状部とを積層する作業を、円滑に行うことができる。尚、請求項４の発明の「平面形状」は、その重心部を基準に非対称な部位を備える形状とすることが望ましい。蓋し、当該「非対称な部位」を用いて、前方板状部と、中間板状部と、後方板状部とを積層する際の位置合わせを行うことができるからである。
【００３７】
請求項５の遊技機は、請求項１〜４の何れか一項に記載の遊技機において、
前記前方板状部と、前記中間板状部と、前記後方板状部とのうちの何れか１個若しくは２個に、位置決め用突部を設け、
前記前方板状部と、前記中間板状部と、前記後方板状部とのうちの残りに、前記位置決め用突部が嵌合される位置決め用嵌合部が設けられることを特徴とする。
【００３８】
請求項５の発明によると、位置決め用突部と位置決め用嵌合部とを用いて、前方板状部と、中間板状部と、後方板状部との位置決めを行うことができる。このため、前方板状部と、中間板状部と、後方板状部とを積層する作業を、より円滑に行うことができる。尚、請求項５の発明において、位置決め用突部と位置決め用嵌合部との数は、特に問わない。
【００３９】
ここで、関連発明１が、請求項４若しくは請求項５の発明の特徴を備えてよいし（以下、「関連発明３」という。）、関連発明２が、請求項４若しくは請求項５の発明の特徴を備えてよい（以下、「関連発明４」という。）。
【００４０】
請求項６に記載の遊技機は、
遊技盤と、所定の画像を表示するための画像表示部を有する画像表示装置と、を備える遊技機であって、
前記遊技盤が、
略板状体を用いて構成され、前面部に遊技領域が形成され、所定の盤部品が装着されると共に、所定の遊技機部品を収納するための凹部を、後方に開口する状態に備える前方板状部と、
該前方板状部の後方に配置される略板状体を用いて構成され、前後に貫通する貫通部を具備する後方板状部と、
を着脱可能に積層して構成され、
前記前方板状部において、少なくとも、前記貫通部の前方に位置する部位が透明部とされ、
前記画像表示部を、前記貫通部によって前記遊技盤の前方から視認可能な状態とされることを特徴とする。
【００４１】
請求項６の発明では、前方板状部と後方板状部とを着脱可能に積層して、遊技盤を構成するため、遊技盤、若しくは、その構成部分の汎用性を高めたり、構成部品の円滑な再利用を図ることができる。例えば、特定機種の遊技盤を不良在庫として抱えそうになったとしても、前方板状部のみを交換すれば、当該遊技盤を、別機種の遊技盤として使用することができる。また、請求項６の発明によっても、構成部品の円滑な再利用を図ることができる。よって、請求項６の発明によっても、所謂「セル替」を簡易かつ安価に行い、不良在庫を抱えそうになった場合のリスクを、少なくすることができる。
【００４２】
更に、請求項６の発明によっても、請求項２の発明と同様に、「遊技盤の背後の空きスペース」を拡大することができる。従って、請求項６の発明によっても、遊技盤の背後に配置する遊技機部品（背面部品）等が受ける設計上の制約や、遊技盤の前面部における設計上の制約等を、少なくすることができる。このため、例えば、球通路を構成するための部品、各種の基板（主制御基板、演出制御基板等）のサイズや配置箇所を選択する自由度を高くしたり、盤部品のサイズや配置箇所を選択する自由度を高くすることができる。更に、請求項６の発明にっても、、所定の基板を遊技盤に埋設することを通じて、遊技機全体の厚さ（前後方向に沿った幅）を小さくできるため、遊技機の島設備における遊技機の設置スペースを小さくできる。このため、パチンコホールの側は、当該パチンコホールの空き空間を拡大して、遊技者に、より良好な遊技スペースを提供することもできる。
【００４３】
請求項７の遊技機は、請求項６に記載の遊技機において、
前記遊技機部品は、配線基板と、該配線基板に装着されるランプ装置と、を備えると共に、
前記前方板状部において、前記ランプ装置の前方に位置する部位が光透過部とされることを特徴とする。
【００４４】
請求項７の発明は、請求項６の発明の具体例を示すものである。この請求項７によると、請求項３の発明と同様に、「遊技盤の前面部の空きスペース」を拡大しつつも、より臨場感に富んだ電飾を行うことができる。つまり、請求項７の発明においても、このランプ装置によって、臨場感に富んだ電飾を行うことができる。また、請求項７の発明においても、ランプ装置のみならず、配線基板をも、遊技盤の内部に埋設し、この配線基板を遊技盤の前面部や背後に配置しなくてもよい点からも、遊技盤の背後や遊技盤の前面部の空きスペースを拡大できる。
【００４５】
請求項８の遊技機は、請求項６又は７に記載の遊技機において、
前記前方板状部の後面部にはセル画部が設けられ、
前記前方板状部において、前記セル画部の前方に位置する部位が透明部とされることを特徴とする。
【００４６】
請求項８の発明によると、前方板状部と後方板状部とを着脱可能に積層して、遊技盤を構成するため、「透明型の遊技機」において、その製造作業の効率化を図ることができる。例えば、製造メーカが製造する「複数の機種」において、後方板状部の共通化を図れば、機種変更時には、前方板状部のみを新たに設計・製造等すればよいため、遊技機の製造工程の効率化を図ることができる。特に、前方板状部を社外（協力会社）にて製造する場合、遊技機の製造メーカにおいては、遊技盤の作製に際し、共通部品としての後方板状部と、機種毎に変更される前方板状部と、の組立作業を行えば足りるため、遊技機の製造工程が更に効率的なものとなる。
【００４７】
また、前方板状部と、後方板状部との各々を異なる業者が製造することとすれば、遊技機の製造工程が、更により一層、効率的なものとなる。つまり、この場合、前方板状部に盤部品を装着する作業、後方板状部に背面部品を装着する作業等、「手間の掛かる作業」が、複数業者の分業作業となるため、遊技機の製造工程が、更により一層、効率的なものとなる。
【００４８】
ここで、請求項６〜８の発明が、請求項４の発明と同様な特徴を備えてもよい。つまり、「請求項６〜８の何れか一項に記載の遊技機において、前記前方板状部と、前記後方板状部とにおいて、前方から視認した平面形状が略等しくされること」を特徴としてもよい（以下、「関連発明５」という。）。
【００４９】
ここで、請求項６〜８の発明、及び、関連発明５のうちの何れかの発明が、請求項５の発明と同様な特徴を備えてもよい。つまり、「請求項６〜８の発明、及び、関連発明５のうちの何れかの発明の遊技機において、前記前方板状部と、前記後方板状部とのうちの何れか一方に、位置決め用突部が設けられ、前記前方板状部と、前記後方板状部とのうちの他方に、前記位置決め用突部が嵌合される位置決め用嵌合部が設けられること」を特徴としてもよい（以下、「関連発明６」という。）。
【００５０】
ところで、各請求項の発明、及び、関連発明１〜関連発明６では、「画像表示装置を後方板状部の後面部に固着すること」を特徴としてもよい（以下、「関連発明７」という。）。そして、この関連発明７によると、「透明型の遊技機」において、「一般型の遊技機」とベース枠部材（中枠）の共用を行うことができ、望ましい。以下、この点について説明する。
【００５１】
即ち、前述の「一般型の遊技機」においては、ベース枠部材に遊技盤を保持するための保持部が設けられる。また、通常、遊技盤の略中央部には、遊技盤の前後面（表裏面）を貫通する取付孔が設けられ、この取付孔には、画像表示装置を内蔵する中央装置（センター役物）が組み付けられる。そして、この「一般型の遊技機」においては、中央装置が前方に向かって開放されているため、遊技者は、画像表示装置の画像表示部（表示画面）を、遊技盤の前方から直接的に視認することができる。
【００５２】
一方、「透明盤の遊技機」としては、遊技盤を、透明板を用いて構成すると共に、この遊技盤の背面部（後面部）後方の所定間隔をおいた位置に、「画像表示装置」を配置する。そして、この「画像表示装置の画像表示部（表示画面）」を、透明な遊技盤を透かして、間接的に視認可能としたものが、既に、提案されている（特開２００５−１５２７７９号公報を参照、以下、「提案例」という。）。
【００５３】
つまり、この提案例では、画像表示装置が、「遊技盤と表面積が等しい略板状」に構成され、ベース枠部材の前面部側に遊技盤を保持するための保持部が設けられる。また、ベース枠部材の後面部側には、遊技盤の表面積と略等しい開口面積の開口部が設けると共に、画像表示装置を上方から差し入れ可能なレール部が設けられる。
【００５４】
この提案例では、画像表示装置がレール部に差し込まれると、画像表示装置の画像表示部（表示画面）が、「正面から見て（前方から見て）、開口部と重なる位置であって、しかも、開口部の後方の位置」に配置される。このため、この従来例によると、遊技者は、遊技領域を流下する遊技球の動きを視認しつつ、その後方の画像表示部（表示画面）を間接的に視認できる。
【００５５】
この提案例では、「画像表示装置」を、ベース枠部材によって保持する構成を採用し、ベース枠部材の構造を、特別な構造（レール部等を備える特別な構造）とすることが必要となる。このため、この提案例によると、パチンコホールにおいて、「既設の遊技機を、他の機種の遊技機に交換する作業（以下、「機種変更」という。）」を、円滑に行うことができない場合がある。例えば、パチンコホールの所定の設置部位に設置される遊技機を、「一般型の遊技機」から、「透明型の遊技機」に変更する際には、遊技盤等の交換の他に、ベース枠部材の交換をも行うことが必要となるからである。
【００５６】
これに対して、関連発明７では、「前方板状部の後面部（裏面部）に、後方板状部を着脱自在に組み付けた積層体」を用いて遊技盤を構成する。そして、この遊技盤の後面部（裏面部）に画像表示装置を固着する。このため、関連発明７によると、遊技盤と、この遊技盤の後面部に一体化された画像表示装置と、を遊技機に組み込む際に、「特別な構造（レール部等を備える特別な構造）のベース枠部材」が必要とされない。換言すると、関連発明７によると、「透明型の遊技機を構成する遊技盤」と、「透明型の遊技機を構成する画像表示装置」とを、「一般型の遊技機を構成するベース枠部材」に対しても組み込むことができる。従って、関連発明７によると、「透明型の遊技機」において、「一般型の遊技機」と、ベース枠部材の共用を図ることができる。このため、関連発明７によると、パチンコホールにおいて、「機種変更」を、円滑に行うことができる。
【００５７】
ここで、各請求項の発明、及び、関連発明１〜７では、前方板状部において透明部とされる部位を種々選択できる。
【００５８】
つまり、請求項１の発明においては、（１）セル画部の前方に位置する部位（セル画部の前方に位置合わせされる部位）と、第１の貫通部の前方に位置する部位（第１の貫通部の前方に位置合わせされる部位）とが透明部とされ、他の部位が非透明部とされてもよいし、（２）セル画部の前方に位置する部位と、第１の貫通部の前方に位置する部位と、その周辺の部位（例えば、遊技領域の内側に位置する部位の全域）が、透明部とされてもよいし、（３）前方板状部の全域が、透明部とされてもよい。
【００５９】
請求項２の発明においては、（１）第１の貫通部の前方に位置する部位（第１の貫通部の前方に位置合わせされる部位）のみが透明部とされてもよいし、（２）第１の貫通部の前方に位置する部位と、その周辺の部位（例えば、遊技領域の内側に位置する部位の全域）が、透明部とされてもよいし、（３）前方板状部の全域が、透明部とされてもよい。
【００６０】
請求項６の発明においては、（１）貫通部の前方に位置する部位（貫通部の前方に位置合わせされる部位）のみが透明部とされてもよいし、（２）貫通部の前方に位置する部位と、その周辺の部位（例えば、遊技領域の内側に位置する部位の全域）が、透明部とされてもよいし、（３）前方板状部の全域が、透明部とされてもよい。
【００６１】
尚、請求項３の発明では、中間板状部及び前方板状部において、ランプ装置の前方に位置する部位のみが光透過部とされてもよいし、このランプ装置の前方に位置する部位及びその他の部位（ランプ装置の前方に位置する部位の周辺の部位、若しくは、全域）が、光透過部とされてもよい。また、前方板状部の光透過部は、透明部であってもよい。
【００６２】
また、請求項７の発明では、前方板状部において、ランプ装置の前方に位置する部位のみが光透過部とされてもよいし、このランプ装置の前方に位置する部位及びその他の部位（ランプ装置の前方に位置する部位の周辺の部位、若しくは、全域）が、光透過部とされてもよい。また、前方板状部の光透過部は、透明部であってもよい。
【００６３】
ここで、各請求項の発明において、前方板状部材を構成する透明部の構成態様を種々選択できる。例えば、アクリル樹脂製の板、ポリカーボネート樹脂製の板や、ガラス板等で構成する態様を例示でできる。また、各請求項の発明において、後方板状部材の構成素材（但し、透明部や光透過部を除く）も種々選択でき、樹脂のみならず、木、金属等を例示することもできる。更に、請求項１〜５の各発明において、中間板状部材の構成素材（但し、透明部や光透過部を除く）も種々選択でき、樹脂のみならず、木、金属等を例示することもできる。
【００６４】
請求項１〜５の各発明においては、「第１の貫通部及び第２の貫通部の横方向に沿った幅（Ｐ）と、遊技領域の横方向に沿った幅（Ｑ）の比（Ｐ／Ｑ）が、４／１０〜９／１０のうちの何れかとされ、
第１の貫通部及び第２の貫通部の縦方向に沿った幅（Ｒ）と、遊技領域の縦方向に沿った幅（Ｓ）の比（Ｒ／Ｓ）が、４／１０〜９／１０のうちの何れかとされる」ことを特徴としてもよい（以下、「関連発明８」という。）。
【００６５】
請求項６〜８の各発明においては、「貫通部の横方向に沿った幅（Ｐ）と、遊技領域の横方向に沿った幅（Ｑ）の比（Ｐ／Ｑ）が、４／１０〜９／１０のうちの何れかとされ、
貫通部の縦方向に沿った幅（Ｒ）と、遊技領域の縦方向に沿った幅（Ｓ）の比（Ｒ／Ｓ）が、４／１０〜９／１０のうちの何れかとされる」ことを特徴としてもよい（以下、「関連発明９」という。）。
【００６６】
この関連発明８及び関連発明９の遊技機によると、貫通部（請求項１〜５の発明では、第１の貫通部及び第２の貫通部）のサイズの好適化を図ることで、（１）「遊技盤の前方から貫通部（請求項１〜５の発明では、第１の貫通部及び第２の貫通部）を通じて視認される画像表示部（画像表示装置の表示画面）のサイズを大型すべき旨の要請」と、（２）「画像表示装置を、後方板状部材の裏面部に安定的に固着すべき旨の要請」と、を同時に満足することができる。つまり、関連発明８及び関連発明９では、貫通部（請求項１〜５の発明では、第１の貫通部及び第２の貫通部）のサイズの下限値を規制し、貫通部を大型化するため、「遊技盤の前方から貫通部（第１の貫通部及び第２の貫通部）を通じて視認される表示画面」のサイズの大型化を図り、遊技者の遊技上の興趣を高めることができる。同時に、貫通部（第１の貫通部及び第２の貫通部）のサイズの上限値を規制し、後方板状部材の裏面部において貫通部の周辺に位置する部位に、十分なサイズの「被固着箇所（画像表示装置が固着される箇所）」を確保するため、画像表示装置を、後方板状部材の裏面部に安定的に固着することができる。
【発明の効果】
【００６７】
以上記述したように、各請求項の発明によると、「透明型の遊技機」において、遊技盤、若しくは、その構成部分の汎用性を高めることができる。
【発明を実施するための最良の形態】
【００６８】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【００６９】
Ａ．実施例１
先ず、実施例１に係る遊技機１について説明する。
【００７０】
（１）機械的な構造
ａ．遊技機の前面側の全体構造
先ず、この遊技機１の全体構造について、図１〜図７を参照して説明する。この遊技機１は、図１及び図２に示すように、外枠２と、この外枠２に装着された遊技機本体Ｈと、を備えている。このうち、外枠２は、図３に示すように、パチンコホールの島設備Ｓに設けられた設置部位Ｓ１に固定されると共に、遊技機本体Ｈを支持するためのものである。
【００７１】
この外枠２は、略矩形状の枠状体によって構成される外枠本体２１（図１及び２を参照）と、外枠本体２１の前面下部を覆う前板部２２と、を備えている。このうち、外枠本体２１は、上下に一対の水平板２１ａと、左右に一対の立設板２１ｂと、を備えている（図１を参照）。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００７２】
遊技機本体Ｈは、外枠２の左端側上下のヒンジＨ１、Ｈ２（図１を参照）を用いて、外枠２の左端側に回動自在に組み付けてられている。この遊技機本体Ｈは、遊技機１のうちで外枠２を除く部分であって、図１に示すように、中枠３と、前面枠（ガラス扉枠）４と、上皿部材５と、下皿部材６と、遊技盤１０（図７を参照）と、裏機構盤１０２（図２３を参照）等を主要部としている。
【００７３】
中枠３は、ベース枠部材の具体例を構成するものであり、図３に示すように、外枠２の内側に嵌めこまれ、外枠２に対して開閉可能に軸支されている。尚、中枠３の右端側には、施錠装置７が装着されている。この施錠装置７は、中枠３を外枠２に施錠したり、前面枠４や上皿部材５を中枠３に施錠するために用いられる。
【００７４】
中枠３は、全体がプラスチック製であり、図４及び図５に示すように、枠状体によって構成されている。この中枠３は、上半部に窓部３Ａを備える枠本体部３ｂと、枠本体部３ｂの裏面部から略矩形枠状に突出する突出部３ｃとを備える。この突出部３ｃは、枠本体部３ｂの裏面部のうちで、枠本体部３ｂの周縁部よりも内側であって、窓部３Ａよりも外側の部位から突出している。そして、突出部３ｃの内側の壁面部３ｄと、枠本体部３ｂの裏面部のうちの窓部３Ａに周辺に位置すると共に壁面部３ｄよりも内側に位置する部位（以下、「窓部周辺部」という。）３ｅとが、略直交する状態とされる。
【００７５】
突出部３ｃの突端面であって、窓部３Ａの左方側の上下と、窓部３Ａの右方側の上下には、保持具３ｆが装着されている。この保持具３ｆは、突出部３ｃの突端面に軸心を略直交させた軸部材３ｇと、この軸部材３ｇによって支持された保持具本体３ｈとを備えている。この保持具本体３ｈは、軸部材３ｇの軸心回りに回転可能な状態とされ、その突端部３ｉ側を、窓部周辺部３ｅの後方に出没させることができる。つまり、保持具本体３ｈは、軸部材３ｇの軸心回りに回転することで、突端部３ｉ側を窓部周辺部３ｅの後方に配置させる保持状態（図４等を参照）と、突端部３ｉ側を窓部周辺部３ｅの後方から退避させる解除状態と、を実現することができる。また、突出部３ｃの壁面部３ｄにおいて、窓部３Ａの左右に位置する複数の箇所には、位置決め用段部３ｍが設けられている（図４を参照）。
【００７６】
本実施例では、突出部３ｃの内側の壁面部３ｄと、枠本体部３ｂの「窓部周辺部」３ｅとで、「遊技盤１０を保持するための保持部（３ｄ、３ｅ）」を構成し、保持具３ｆによって遊技盤１０（詳細は後述する。）の保持状態を維持している。つまり、図５（ａ）及び（ｂ）に示すように、遊技盤１０（詳細は後述する。）は、前面部１０ａを前方に向けた状態（後面部１０ｂを後方に向けた状態）で、保持部（３ｄ、３ｅ）に装着される。尚、この装着作業の際、保持具本体３ｈは解除状態とされる。そして、この装着により、遊技盤１０の前面部１０ａにおける上縁側の部位が、窓部周辺部３ｅにおいて、窓部３Ａの上方に位置する部位に当接する。また、遊技盤１０の前面部１０ａにおける右側縁側の部位が、窓部周辺部３ｅにおいて、窓部３Ａの右側方（中枠３を前方から見た場合の右側方）に位置する部位に当接し、遊技盤１０の前面部１０ａにおける左側縁側の部位が、窓部周辺部３ｅにおいて、窓部３Ａの左側方（中枠３を前方から見た場合の左側方）に位置する部位に当接する。
【００７７】
この際、遊技盤１０の左右の側部に設けられた段部１０ｃが、位置決め用段部３ｍに嵌合し（図６を参照）、遊技盤１０が、保持部（３ｄ、３ｅ）に位置合わせされる。この保持具本体３ｈを保持状態とすると、この保持具本体３ｈによって、遊技盤１０の保持部（３ｄ、３ｅ）からの抜け止めが図られる｛図５（ｂ）を参照｝。これにより、遊技盤１０が、保持部（３ｄ、３ｅ）に保持される。そして、このように、中枠３が遊技盤１０を保持したとき、「遊技盤１０の前面部１０ａに構成される遊技領域１１」を、窓部３Ａによって、中枠３の前方から視認することができる（図７を参照）。また、遊技盤１０の背面部には、裏機構盤１０２（図２３参照）が装着され、この背面部を覆う状態とされている。尚、図示を省略するが、遊技盤１０の中枠３に対する位置決めは、遊技盤１０及び中枠３のうちの一方に設けられた突部を、他方に設けられた嵌合部（孔や凹部）に嵌合して行うことができる。また、裏機構盤１０２の詳細に関しては後述する。
【００７８】
図７に示すように、中枠３の前面部３ａのうちで、窓部３Ａよりも下方側の部位（遊技盤１０よりも下方側の部位）には、遊技球を遊技盤１０に発射する発射装置（図示を省略）と、遊技球を発射ユニットに供給するための球送り装置（図示を省略）と、発射装置から発射された遊技球を外レール１４（後述する。）に向かって誘導する発射レールＹとが配設されている。尚、発射レールＹは、中枠３の下方側において、左方向に向かって上がり傾斜状に設けられている。
【００７９】
前面枠４は、ガラス扉枠の具体例を構成するものであり、図１に示すように、中枠３の前面側に配置され、中枠３の左端に開閉可能に支持されている。この前面枠４は、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【００８０】
扉枠本体４１は、レンズ状のプラスチックを主体に構成され、円形状の開口部４１ａを有している。この開口部４１ａは、扉枠本体４１の前面部及び後面部を貫通する状態に設けられている。そして、前面枠４を閉じた状態としたときに、前面枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図７参照）の形状に対応して、略円周状に開設されている。
【００８１】
図２に示すように、前面枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。
【００８２】
図１及び図２に示すように、前面枠４の上端部側の左右には、各々、スピーカーＳＰ１、ＳＰ２（図２６参照）が内蔵されている。また、本遊技機１においては、前板部２２の左右両端にも、スピーカーＳＰ３、ＳＰ４（図２５参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【００８３】
遊技機本体Ｈの前面部のうちで、前面枠３の下方の部位が、上皿部材５と下皿部材６とを備える構成とされている。つまり、上皿部材５は、前面枠３の下方に配置され、下皿部材６は上皿部材５の下方に配置されている。また、上皿部材５は、遊技機１の内部の遊技球を、この上皿部材５に排出するための排出口５ｂ等を備えている。
【００８４】
尚、上皿部材５の裏側には、球貸表示基板４１０（図２４参照）及び演出ボタン基板２２８（図２６参照）が設けられ、上皿部材５の上面部には「球貸操作部５ｃ」と、操作スイッチＳＷとが配置されている。また、上皿部材５の外郭部分も、レンズ状のプラスチックを主体され、上皿部材５の内部にも、ＬＥＤ基板４ｉが内蔵されている（図２を参照）。
【００８５】
図１及び図２に示すように、下皿部材６の略中央には、遊技機１の内部から遊技球を排出するための排出口６ａが設けられている。また、下皿部材６の左端には灰皿６ｂが設けられ、下皿部材６の右端には発射ハンドル９が設けられている。また、下皿部材６の底面には球抜き孔（図示を省略）が設けられている。この球抜き孔は、通常時には、閉鎖されているが、下皿部材６に貯留された遊技球を遊技機１から排出する際に開放状態とされる。
【００８６】
発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、前述の施錠装置７は、正面視すると鍵穴を備えた略長方形状を呈し、前面枠４を閉鎖した場合に施錠するためのものである。更に、遊技機１の左端側には、プリペイドカードユニットが設けられている（図示を省略）。
【００８７】
ｂ．遊技盤１０の構成
次に、遊技盤１０の構成について図７〜図２２を用いて説明する。この遊技盤１０は、前述のように、中枠３（図４を参照）の保持部（３ｄ、３ｅ）に保持されるとともに、後述する裏機構盤１０２（図２３参照）によりその背面側が覆われている。また、遊技盤１０の前面部には、ともに帯状の金属板を用いて構成される外側レール１２と、内側レール１３とが配設されている。尚、外側レール１２及び内側レール１３の詳細に関しては後述する。
【００８８】
遊技盤１０の前面部（表面部）１０ａにおいて、この外側レール１２及び内側レール１３が形成する略楕円形の周壁によって構成される部位が、遊技領域１１を構成している。このため、本実施例では、遊技領域１１の外縁部の形状が略楕円形（長軸；４６２ｍｍ、短軸；４２４ｍｍ）とされるが、外縁部の形状は「略円形」等、の他の形状であってもよい。また、本実施例の外側レール１２は、「右側方に開口する略Ｕ字状の経路を描く、略帯状体」によって構成され、本実施例の内側レール１３は、「上方に開口する略Ｕ字状の経路を描く、略帯状体」によって構成されている。尚、本実施例では、２本のレール（外側レール１２、内側レール１３）を用いて、遊技領域１１の外縁部を構成する態様を例示したが、例えば、１本のレール（Ｃ字状に配設された１本のレール）を用いて遊技領域１１の外縁部を構成することもできる。
【００８９】
遊技盤１０は、図８及び図９に示すように、前方板状部材５００と、中間板状部材６００と、後方板状部材７００と、を着脱可能に積層して構成される積層板を用いて構成されている。また、図１０〜図１２に示すように、前方板状部材５００と、中間板状部材６００と、後方板状部材７００の平面形状（前方から視認した平面形状）は、何れも、遊技盤１０の平面形状（前方から視認した平面形状）と等しくされている。但し、本実施例では、前方板状部材５００、中間板状部材６００、及び、後方板状部材７００の平面形状は、その重心部を基準に非対称な部位（例えば、後述する段部５０２、６０２、７０２）を備える形状とされている。
【００９０】
前方板状部材５００は、前方板状部の具体例を構成する部材である。この前方板状部材５００は、遊技盤１０の前面部１０ａ側の部位を構成する板状体であり、その表面部（前面部）５００ａによって、遊技盤１０の前面部１０ａを構成する。また、この前方板状部材５００は、「全体が無色透明な樹脂板」を用いて構成され、図９及び図１０に示すように、上端部側の左右と、下端部側の左右とに、位置決め孔５０１、５０１、５０１、５０１を貫通状（表面部５００ａ及び裏面部５００ｂを貫通する状態）に備えている。
【００９１】
ここで、前方板状部材５００を構成する「透明な樹脂板」としては、「アクリル板（アクリル樹脂からなる板状体）」や、「ポリカーボネート板（ポリカーボネート樹脂からなる板状体）」等を例示できる。尚、「アクリル樹脂からなる板状体」とは、「メタクリル酸エステル（特に、メタクリル酸メチル）」、及び／又は、「アクリル酸エステル」を主成分として含有する（樹脂成分全体の５０重量％〜１００重量％含有する）樹脂からなる板状体を指す。また、「アクリル板（アクリル樹脂からなる板状体）」を用いた場合、例えば、「９０〜９２％の光透過率（可視領域での光透過率）」を得ること（クリスタルガラスに匹敵する光透過率を得ること）も可能なため、より好適な前方板状部材５００を得ることができる。
【００９２】
図１０に示すように、前方板状部材５００の左右の端面には、複数の段部５０２が設けられている。また、前方板状部材５００の表面部５００ａには、外側レール１２（外側レール１２の一方の側縁部）が当接する部位（以下、「外側当接部位」という。）１２ｔと、内側レール１３（内側レール１３の一方の側縁部）が当接する部位（以下、「内側レール当接部位」という。）１３ｔとが、存在する。そして、外側当接部位１２ｔは、右側方に開口する略Ｕ字状の経路を描いており（図１０において破線で表示）、内側レール当接部位１３ｔは、上方に開口する略Ｕ字状の経路（図１０において破線で表示）を描いている。尚、後述する図１１及び図１２においては、説明の便宜のため、外側当接部位１２ｔの後方に位置する部位を「破線Ｌ１」で示し、内側レール当接部位１３ｔの後方に位置する部位を「破線Ｌ２」で示している。
【００９３】
図１０に示すように、この前方板状部材５００の表面部５００ａのうちで、外側当接部位１２ｔ及び内側レール当接部位１３ｔとで取り囲んで構成される略楕円形の部位が、遊技領域１１を構成する部位（以下、「遊技領域構成部」という。）５１１である。そして、遊技領域構成部５１１には、始動入賞球通過孔５０３ａと、大入賞球通過孔５０３ｂと、４つの一般入賞球通過孔５０３ｃ、５０３ｅ、５０３ｇ、５０３ｈと、アウト球通過孔５０３ｋと、が貫通状（表面部５００ａ及び裏面部５００ｂを貫通する状態）に設けられている。
【００９４】
図１０に示すように、前方板状部材５００において、外側当接部位１２ｔに沿った複数箇所には、貫通孔Ｋ１１、Ｋ１２、Ｋ１３、Ｋ１４、Ｋ１５、Ｋ１６、Ｋ１７（直径；１５ｍｍ程度の開口形状を備える略円形の孔であって、図１０において、「黒丸を白丸で囲む、２重丸表示」を用いて図示）が、表面部５００ａ及び裏面部５００ｂを貫通する状態に設けられている。また、前方板状部材５００において、内側レール当接部位１３ｔに沿った複数箇所にも、貫通孔Ｋ２１、Ｋ２２、Ｋ２３、Ｋ２４、Ｋ２５、Ｋ２６、Ｋ２７、Ｋ２８（図１０において、「黒丸を白丸で囲む、２重丸表示」を用いて図示）が、表面部５００ａ及び裏面部５００ｂを貫通する状態に設けられている。
【００９５】
図１０に示すように、遊技領域構成部５１１の適所には、盤部品固定穴５０３ｎ（図１０において、「黒丸の表示」を用いて図示）が、表面部５００ａで開口する状態に設けられている。尚、遊技領域構成部５１１には、障害釘（ビス状であっても、雄ネジ状であってもよい。）を、遊技領域構成部５１１に打ち込む際に使用される案内穴（下穴）が表面部５００ａで開口する状態に設けられているが、図８及び図９等においては、図示を省略する。
【００９６】
図１０に示すように、遊技領域構成部５１１の上下方向中間部の左右には、ワープ進入孔５０３Ｒ、５０３Ｓが、貫通状（表面部５００ａから裏面部５００ｂに下り傾斜状に貫通する状態）に設けられている（図８においては図示を省略）。また、遊技領域構成部５１１において、各ワープ進入孔５０３Ｒ、５０３Ｓの直下の部位には、ワープ排出孔５０３Ｔ、５０３Ｕが、貫通状（裏面部５００ｂが表面部５００ａに下り傾斜に貫通する状態）に設けられている。
【００９７】
中間板状部材６００は、中間板状部の具体例を構成する部材である。この中間板状部材６００は、図８及び図１１に示すように、遊技盤１０の前後方向に沿った中間部側の部位を構成する板状体であり、前方板状部材５００と略同一の平面形状を備えている。また、図１１に示すように、中間板状部材６００の左右の端面にも、複数の段部６０２が設けられている。更に、中間板状部材６００は、前方板状部材５００と同様な素材を用いて構成されている。
【００９８】
図９及び図１１に示すように、この中間板状部材６００の表面部６００ａにおいて、各位置決め孔５０１、５０１、５０１、５０１と前後に位置合わせされる部位には、中間位置決め孔６０１、６０１、６０１、６０１が設けられている。また、図１１に示すように、中間板状部材６００において各貫通孔（Ｋ１１〜Ｋ１７、Ｋ２１〜Ｋ２８）の裏側に位置する部位には、当該各貫通孔（Ｋ１１〜Ｋ１７、Ｋ２１〜Ｋ２８）と連通する「中間貫通孔（６００Ｋ）」が、各々設けられている。尚、本実施例では、位置決め孔５０１及び中間位置決め孔６０１が、「位置決め用嵌合部」の具体例を構成する。
【００９９】
図１１に示すように、中間板状部材６００のうちで、遊技領域構成部５１１の後方に配置される部位（以下、「遊技領域後方部６０５Ｂ」という。）には、始動入賞球通過孔６０３ａと、大入賞球通過孔６０３ｂと、４つの一般入賞球通過孔６０３ｃ、６０３ｅ、６０３ｇ、６０３ｈと、アウト球通過孔６０３ｋと、が貫通状（表面部６００ａ及び裏面部６００ｂを貫通する状態）に設けられている。
【０１００】
図１１等に示すように、中間板状部材６００の略中央部には、略矩形状の「第１の貫通部」６１１が、貫通状に（中間板状部材６００の表面部６００ａと、裏面部６００ｂとを貫通する状態に）設けられている（図１８及び図１９を参照）。ここで、図１１及び図１２に示すように、本実施例において、この第１の貫通部６１１と、後述する第２の貫通部７１１のサイズが以下のように定められている。つまり、第１の貫通部６１１（第２の貫通部７１１）の横方向に沿った幅（Ｐ）は、約３３７．５ｍｍとされ、第１の貫通部６１１（第２の貫通部７１１）の縦方向に沿った幅（Ｒ）は、約２７２．３ｍｍとされている。一方、本遊技機１を構成する遊技盤１０の遊技領域１１の縦方向に沿った幅の最大寸法（Ｓ）は約４６２ｍｍとされ、遊技領域１１の横方向に沿った幅の最大寸法（Ｑ）は約４２４ｍｍとされている。このため、比（Ｐ／Ｑ）は約０．８０とされ、比（Ｒ／Ｓ）は約０．５９とされている。換言すると、第１の貫通部６１１（第２の貫通部７１１）の開口面積は、遊技領域１１の全面積の約６０％とされている。尚、この中間板状部材６００においては、「盤部品（後述する流下経路変更部材２０、始動入賞装置１７、下部装置３０、左下表示装置５０、右下表示装置６０、一般入賞装置４０、４１、４３、４４等）の後方の部位を除く略全域」が、前方板状部材５００の前方から視認可能な「可視部位」とされている。
【０１０１】
図９に示すように、中間板状部材６００の表面部６００ａには、セル画部Ｇが設けられている（図１１においては、図示を省略する。）。このセル画部Ｇは、中間板状部材６００の表面部６００ａに、セル画（例えば、「太陽の図形と、月の図形とを用いたセル画）Ｇ１を印刷して構成されるものである。つまり、中間板状部材６００の表面部６００ａのうちで、「第１の貫通部６１１の形成箇所」と、「各位置決め孔６０１の形成箇所」と、「始動入賞球通過孔６０３ａの形成箇所」と、「大入賞球通過孔６０３ｂの形成箇所」と、「各一般入賞球通過孔６０３ｃ、６０３ｅ、６０３ｇ、６０３ｈの形成箇所」と、「アウト球通過孔６０３ｋの形成箇所」と、「各中間貫通孔６００Ｋの形成箇所」と、を除く部位（以下、「無孔部位」という。）セル画Ｇ１を印刷されている。
【０１０２】
但し、本実施例においては、中間板状部材６００の表面部６００ａに装着（貼着）される「装飾シート」を用いて、このセル画部Ｇを構成することもできる。つまり、この「無孔部位」に対して、「セル画Ｇ１を印刷された装飾シート」を装着（貼着）して、中間板状部材６００の表面部６００ａにセル画部Ｇを形成してもよい。尚、この装飾シートとしては、樹脂製のシート基材に、セル画Ｇ１を印刷して構成されるものを例示できる。
【０１０３】
図２０（ａ）及び（ｂ）に示すように、中間板状部材６００の裏面部６００ｂ側には、２種類の凹部６５０、６５１を、各々、複数個ずつ備えている。これらの凹部６５０、６５１は、「中間板状部材６００の無孔部位に属し、しかも、遊技領域１１の後方に位置する部位から選択される所定の箇所」に設けられている。そして、これらの凹部６５０、６５１は、中間板状部材６００の裏面部６００ｂにおいて開口する状態（中間板状部材６００の表面部６００ａ、側面部、上面部、及び、下面部では開口しない状態）とされている。そして、２種類の凹部６５０、６５１のうちの一方（凹部６５０）は、図２０（ａ）に示すように、駆動型の盤部品（開閉駆動する下部装置３０、点滅駆動等する左下表示装置５０、点滅駆動等する右下表示装置６０）を駆動するための駆動基板８００を収納するためのもの（以下、「駆動用凹部６５０」という。）である。この駆動基板８００は、配線基板（プリント配線基板）８０１と、この配線基板８０１に実装された駆動部品（抵抗、コンデンサ等の電子部品等）８０２とを備えている。そして、駆動用凹部６５０の開口部は、後方板状部材７００によって封止されている。
【０１０４】
また、２種類の凹部６５０、６５１のうちの他方（凹部６５１）は、図２０（ｂ）に示すように、電飾基板８１０を収納するためのもの（以下、「電飾用凹部６５１」という。）である。この電飾基板８１０は、配線基板（プリント配線基板）８１１と、この配線基板８１１に実装されたランプ装置８１２とを備えている。このランプ装置８１２としては、ＬＥＤランプ（特に、フルカラーＬＥＤ）を用いるのが好適である。そして、電飾用凹部６５１の開口部も、後方板状部材７００によって封止されている。
【０１０５】
本実施例では、中間板状部材６００の表面部６００ａのうちで、駆動用凹部６５０の前方に位置する部位は不透明とされているため、遊技盤１０の前方より、駆動用凹部６５０内の駆動基板８００を視認することができない。つまり、セル画部Ｇにおいて、この駆動用凹部６５０の前方に位置する部位Ｇ２が、不透明部とされているため、駆動基板８００は遊技機１の外観として露呈することはない。また、中間板状部材６００の表面部６００ａのうちで、電飾用凹部６５１の前方に位置する部位にも、セル画部Ｇの一部Ｇ３が存在するが、この一部Ｇ３は、光透過性を備える光透過部Ｇ３１とされている。この光透過部Ｇ３１は、半透明部であるが、ランプ装置８１２から発光される光を前方に向かって透過可能とされている。このため、遊技盤１０の前方の遊技者は、配線基板８１０及びランプ装置８１２を、ランプ装置８１２の消灯時には視認することができない。ところが、ランプ装置８１２の点灯時には、このランプ装置８１２の発する光を視認することができる。
【０１０６】
後方板状部材７００は、図８及び図１２に示すように、遊技盤１０の後面部側の部位を構成する板状体であり、前方板状部材５００と略同一の平面形状を備えている。また、図１２に示すように、後方板状部材７００の左右の端面にも、複数の段部７０２が設けられている。尚、後方板状部材７００は剛性の高い、不透明な樹脂板（例えば、ＡＢＳ製の板等）を用いて構成されている。そして、本実施例では、後方板状部材７００の基材部を、剛性が高く、熱膨張率の低い素材で構成するため、遊技盤１０の剛性が確保されると共に、遊技盤１０の熱膨張率も低くされている。
【０１０７】
図９及び図１２に示すように、この後方板状部材７００の表面部７００ａにおいて、各位置決め孔５０１、５０１、５０１、５０１と前後に位置合わせされる部位（中間位置決め孔６０１、６０１、６０１、６０１とも前後に位置合わせされる部位）からは、位置決め突起（ボス状の突起）７０１、７０１、７０１、７０１が前方に向かって突出している（図１２では、ハッチングを用いて表示）。そして、前方板状部材５００と、中間板状部材６００と、後方板状部材７００とを積層すると、各位置決め孔５０１、５０１、５０１、５０１と、対応する中間位置決め孔６０１、６０１、６０１、６０１とが前後に位置合わせされる。また、各位置決め突起７０１、７０１、７０１、７０１は、対応する位置決め孔５０１、５０１、５０１、５０１、及び、対応する中間位置決め孔６０１、６０１、６０１、６０１とに嵌合される。このとき、各位置決め突起７０１の突端部は、前方板状部材５００の表面部５００ａと略面一となる。尚、位置決め突起７０１は、位置決め用突部の具体例を構成する。
【０１０８】
図１２に示すように、後方板状部材７００のうちで、遊技領域構成部５１１の後方に配置される部位（以下、「遊技領域後方部７０５Ｂ」という。）には、始動入賞球通過孔７０３ａと、大入賞球通過孔７０３ｂと、４つの一般入賞球通過孔７０３ｃ、７０３ｅ、７０３ｇ、７０３ｈと、アウト球通過孔７０３ｋと、が貫通状（表面部７００ａ及び裏面部７００ｂを貫通する状態）に設けられている。
【０１０９】
図１５に示すように、後方板状部材７００の裏面部７００ｂにおいて、各通過孔（始動入賞球通過孔７０３ａ、大入賞球通過孔７０３ｂ、各一般入賞球通過孔７０３ｃ、７０３ｅ、７０３ｇ、７０３ｈ、アウト球通過孔７０３ｋ）が開口する部位には、遊技球案内用のリブ７０３ｒが突出している。尚、図示を省略するが、後方板状部材７００の裏面部７００ｂには、遊技球集合部材が装着されている。この「遊技球集合部材」は、「背面部品」の具体例を構成する。そして、各通過孔（始動入賞球通過孔７０３ａ、大入賞球通過孔７０３ｂ、各一般入賞球通過孔７０３ｃ、７０３ｅ、７０３ｇ、７０３ｈ、アウト球通過孔７０３ｋ）を通じて、後方板状部材７００の後方（遊技盤１０の後方）に到達する遊技球が、遊技球集合部材の端末部（遊技球の通過方向に沿った端末部）に導かれる。
【０１１０】
図１２等に示すように、後方板状部材７００の略中央部には、略矩形状の「第２の貫通部７１１」が、貫通状に（後方板状部材７００の表面部７００ａと、裏面部７００ｂとを貫通する状態に）設けられている（図１８及び図１９を参照）。ここで、図１２に示すと共に、前述のように、比（Ｐ／Ｑ）は約０．８０とされ、比（Ｒ／Ｓ）は約０．５９とされている。換言すると、第２の貫通部７１１の開口面積は、遊技領域１１の全面積の約６０％とされている。このように、後方板状部材７００には大型の「第２の貫通部７１１」を設けられているが、後方板状部材７００の裏面部７００ｂの面積（第２の貫通部７１１を除く、後方側の部位）が、十分に確保されている。尚、後述する中央表示装置２７（画像表示装置である。）が固着される被固着部位は、この後面部７００ｂから選択される。また、後方板状部材７００には、各通過孔（始動入賞球通過孔７０３ａ、大入賞球通過孔７０３ｂ、各一般入賞球通過孔７０３ｃ、７０３ｅ、７０３ｇ、７０３ｈ、アウト球通過孔６０３ｋ）を構成するための貫通孔（表面部６００ａ及び裏面部７００ｂを貫通する状態の貫通孔）が設けられている。
【０１１１】
図１２に示すように、後方板状部材７００の表面部７００ａにおいて、各貫通孔（Ｋ１１〜Ｋ１７、Ｋ２１〜Ｋ２８）と前後に位置合わせされる部位（各中間貫通孔６００Ｋとも前後に位置合わせされる部位である。）からは、各々、嵌合用突部７００Ｋが突出している（前方に向かって突出している。）。そして、図１３及び図１４に示すように、各嵌合用突部７００Ｋには、固定穴７０１Ｋが設けられている。この固定穴（直径；２ｍｍ程度の略円形の開口形状を備える略円形の穴）７０１Ｋは、各嵌合用突部７００Ｋの突端部において開口している。尚、この嵌合用突部７００Ｋは、位置決め用突部の具体例を構成している。
【０１１２】
そして、図１３及び図１４に示すように、前方板状部材５００と、中間板状部材６００と、後方板状部材７００とを積層すると、各嵌合用突部７００Ｋは、対応する貫通孔（Ｋ１１〜Ｋ１７、Ｋ２１〜Ｋ２８）、及び、対応する中間貫通孔（６００Ｋ）に嵌合される。このとき、各嵌合用突部７００Ｋの突端部は、前方板状部材５００の表面部５００ａと略面一となり、各固定穴７０１Ｋは、前方板状部材５００の表面部５００ａ（遊技盤１０の表側）において開放された状態となる。
【０１１３】
尚、図２０（ａ）及び（ｂ）に示すように、後方板状部材７００において、駆動用凹部６５０に連続する部位や、電飾用凹部６５１の周囲に連続する部位に放熱孔７７０を設けることが望ましい。つまり、駆動基板８００を構成する電子部品（抵抗、コンデンサ等）８０２や、電飾基板８１０を構成するランプ装置８１２が発する熱を、遊技盤１０の外部に放出するための放熱孔７７０を設けることが望ましい。但し、この放熱孔７７０は、前方板状部材５００若しくは中間板状部材６００に設けてもよいし、前方板状部材５００と、中間板状部材６００と、後方板状部材７００とのうちの２部材、若しくは、３部材に設けてもよい。
【０１１４】
次に、遊技盤１０の組付の手順の一具体例を、図２１等を用いて説明する。先ず、駆動用凹部６５０に駆動基板８００を装着し、電飾用凹部６５１に電飾基板８１０を装着する（図２０を参照）。そして、前方板状部材５００と、中間板状部材６００と、後方板状部材７００を積層すると、遊技盤１０の組付を完了する。この積層に際しては、各位置決め孔５０１、５０１、５０１、５０１と、対応する中間位置決め孔６０１、６０１、６０１、６０１とが前後に位置合わせされ、各位置決め突起７０１、７０１、７０１、７０１が、対応する位置決め孔５０１、５０１、５０１、５０１、及び、対応する中間位置決め孔６０１、６０１、６０１、６０１に嵌合される。
【０１１５】
また、この積層により、前方板状部材５００の各通過孔（始動入賞球通過孔５０３ａ、大入賞球通過孔５０３ｂ、一般入賞球通過孔５０３ｃ、５０３ｅ、５０３ｇ、５０３ｈ、アウト球通過孔５０３ｋ）と、中間板状部材６００の各通過孔（始動入賞球通過孔６０３ａ、大入賞球通過孔６０３ｂ、一般入賞球通過孔６０３ｃ、６０３ｅ、６０３ｇ、６０３ｈ、アウト球通過孔６０３ｋ）と、後方板状部材７００の対応する各通過孔（始動入賞球通過孔７０３ａ、大入賞球通過孔７０３ｂ、一般入賞球通過孔７０３ｃ、７０３ｅ、７０３ｇ、７０３ｈ、アウト球通過孔７０３ｋ）と、が前後に位置合わせされ、前後に連通する。同時に、各嵌合用突部７００Ｋを、対応する中間貫通孔（６００Ｋ）と、対応する貫通孔（Ｋ１１〜Ｋ１７、Ｋ２１〜Ｋ２８）とに嵌合する（図１３、図１４等を参照）。
【０１１６】
また、前方板状部材５００の各段部５０２と、中間板状部材６００の対応する各段部６０２と、後方板状部材７００の対応する段部７１２とが位置合わせされ、遊技盤１０の段部１０ｃを完成する。また、左側のワープ進入孔５０３Ｒの出口部５０３１Ｒは、第１の貫通部６１１の左端側上方部において後方に開口し、左側のワープ排出孔５０３Ｔの入口部５０３１Ｔは、第１の貫通部６１１の左端側上方部において後方に開口する（図１９を参照）。また、右側のワープ進入孔５０３Ｓの出口部５０３１Ｓは、第１の貫通部６１１の右端側上方部において後方に開口し、右側のワープ排出孔５０３Ｕの入口部５０３１Ｕは、貫通部６１１の右端側下方部において後方に開口する（図１８を参照）。
【０１１７】
図１３及び図１４に示すように、この遊技盤１０に対して、前述の外側レール１２と内側レール１３が、レール固定用のピン（以下、「レールピン」という。）８８０を用いて固定されている。
【０１１８】
外側レール１２は、金属製で、長尺な帯状体を用いて構成されている。そして、図７に示すように、外側レール１２は、その軸線が、右側方に開口する略Ｕ字状の経路を描くように、湾曲されつつ、遊技盤１０の前面部１０ａに固定されている。つまり、図１４に示すように、この外側レール１２は、その一方の側縁部１２ａを、前方板状部材５００の外側当接部位１２ｔに当接させつつ、遊技盤１０の前方に突出する状態に（外側レール１２の他方の側縁部１２ｂを突端部に配置しつつ突出する状態に）配置されている。
【０１１９】
図１４に示すように、この外側レール１２の「一方の側縁部１２ａ」側の部位には、複数個の装着部１２ｃが設けられている。この装着部１２ｃは、外側レール１２を肉厚方向に貫通する孔状に設けられている。また、各装着部１２ｃは、遊技盤１０の前面部１０ａにおいて、「外側当接部位１２ｔに沿って開口する固定穴７０１Ｋ」と位置合わせ可能な部位に設けられている。
【０１２０】
内側レール１３も、金属製で、長尺な帯状体を用いて構成されている。そして、図７に示すように、内側レール１３は、その軸線が、上方に開口する略Ｕ字状の経路を描くように、湾曲されつつ、遊技盤１０の前面部１０ａに固定されている。つまり、図１４に示すように、この内側レール１３は、その一方の側縁部１３ａを、前方板状部材５００の内側レール当接部位１３ｔに当接させつつ、遊技盤１０の前方に突出する状態に（内側レール１３の他方の側縁部１３ｂを突端部に配置しつつ突出する状態に）配置されている。
【０１２１】
図１４に示すように、この内側レール１３の「一方の側縁部１３ａ」側の部位にも、複数個の装着部１３ｃが設けられている。この装着部１３ｃは、内側レール１３を肉厚方向に貫通する孔状に設けられている。また、各装着部１３ｃは、遊技盤１０の前面部１０ａにおいて、「内側レール当接部位１３ｔに沿って開口する固定穴６０１Ｋ」と位置合わせ可能な部位に設けられている。
【０１２２】
レールピン８８０は、図１４に示すように、「金属製（例えば、ステンレス製）の線材」を用いて構成される「棒状部材」を用いて構成されている。このレールピン８８０は、軸心方向に沿った略中間部を中心に折り曲げられ、略釘形状（若しくは、ヘアーピン形状）とされて使用される。
【０１２３】
このレールピン８８０を、その一端部の側から、外側レール１２の各装着部１２ｃに挿通した後、軸心方向に沿った略中間部を中心に折り曲げ、略釘形状とする。これにより、レールピン８８０を、「外側レール１２の各装着部１２ｃ」に装着する作業を完了する。このとき、図１４に示すように、このレールピン８８０において、「外側レール１２の一方の側縁部１２ａ」から突出する部分によって、固定用突起８８１が構成される。
【０１２４】
即ち、外側レール１２の一方の側縁部１２ａからは、複数個の固定用突起８８１が、所定の間隔をおいて（外側当接部位１２ｔに沿って開口する固定穴７０１Ｋの配置間隔と等間隔で）突出する状態となる。そして、この各固定用突起８１０を、「外側当接部位１２ｔに沿って開口する固定穴７０１Ｋ」のうちで対応するものに対して、圧入状態で挿嵌すると共に、外側レール１２の一方の側縁部１２ａを、外側当接部位１２ｔに当接させると、外側レール１２の遊技盤１０への固定を完了する。
【０１２５】
同様に、このレールピン８８０を、その一端部の側から、内側レール１３の各装着部１３ｃに挿通した後、軸心方向に沿った略中間部を中心に折り曲げ、略釘形状とする。これにより、レールピン８８０を、「内側レール１２の各装着部１３ｃ」に装着する作業を完了する。このとき、このレールピン８８０において、「内側レール１３の一方の側縁部１３ａ」から突出する部分によって、固定用突起８８２が構成される。
【０１２６】
即ち、内側レール１３の一方の側縁部１３ａからも、複数個の固定用突起８８２が、所定の間隔をおいて（内側当接部位１３ｔに沿って開口する固定穴６０１Ｋの配置間隔と等間隔で）突出する状態となる。そして、この各固定用突起８２０を、「内側当接部位１３ｔに沿って開口する固定穴７０１Ｋ」のうちで対応するものに対して、圧入状態で挿嵌すると共に、内側レール１３の一方の側縁部１３ａを、内側当接部位１３ｔに当接させると、内側レール１３の遊技盤１０への固定を完了する。
【０１２７】
図７に示すように、以上の遊技盤１０の前面部１０ａにおいて遊技領域１１内に位置する部位には、流下経路変更部材２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図７では、図示を省略）と、風車（図７では、図示を省略）等が配設されている。また、図８に示すように、遊技盤１０に裏面部１０ｂ（後方板状部材７００の裏面部６００ｂ）には、中央表示装置２７が固着されている。更に、遊技盤１０を前後に縦断する状態で、ワープ部材７０、７０が配設されている。
【０１２８】
流下経路変更部材２０は、透明な樹脂を用いて構成されると共に、貫通部６１１の外縁部の前方で、しかも、この外縁部よりも内側の部位に装着されている。この流下経路変更部材２０は、図１７に示すように、遊技盤１０の前面部１０ａから前方に突出する壁部２１（遊技球の流下経路を変更するための壁部）を形成するための部材である。この流下経路変更部材２０は、樹脂を用いて構成されると共に枠形状を備えている。また、この流下経路変更部材２０は、図１６及び図１７に示すように、前面部１０ａから前方に突出する状態に配置される壁部２１と、壁部２１の基端部から突出し、前面部１０ａに沿った方向に配置される取付代２２とを備えている。そして、この取付代２２を、対応する盤部品固定穴５０３ｎを利用しつつ、遊技盤１０の前面部１０ａにネジ止めすることで、この流下経路変更部材２０は、遊技盤１０に装着されている。
【０１２９】
壁部２１は、上部を位置する庇部２１ａと、左右に位置する側壁部２１ｂ、２１ｃと、下部に位置するステージ部２１ｄとを備えている。このうち、庇部２１ａは、その上面部が、左右方向中間部から左右両端に下る「下り傾斜面」を形成している。このため、庇部２１ａの上面部に到達した遊技球は、この上面部に沿って、庇部２１ａの左右一方の端部側に転動するものとされている。
【０１３０】
ステージ部２１ｄの突端部からは、「落下防止壁２１ｅ」が上方に向かって延設されている。また、このステージ部２１ｄは、その上面部によって、遊技球の転動面を構成する。この転動面は、「左右の端部から中央部に向かって下る傾斜面」として構成されている。そして、落下防止壁２１ｅの左右方向に沿った中央部には、ステージ部２１ｄの上面部（転動面）上の遊技球を、ステージ部２１ｄの外部に排出するための排出通路２１ｆが設けられている。尚、本実施例では、ステージ部２１ｄの上面部（転動面）に進入した遊技球は、上面部（転動面）上を左右に転動する。そして、遊技球の勢いを衰えたところで、この遊技球は、排出通路２１ｆを通過してステージ部２１ｄ外に排出されるか、或いは、「ステージ部２１ｄの上面部（転動面）において、落下防止壁２１ｅが低くされた部位」から、ステージ部２１ｄ外に排出される。尚、排出通路２１ｆの出口部の直下に、後述する始動入賞装置１７が位置している。
【０１３１】
左側の側壁部２１ｂは、左方向に入口部を開口させ、右方向に出口部を開口させたワープ孔２１ｈを備えている。そして、図２１に示すように、このワープ孔２１ｈの出口部は、略管状のワープ連絡部材２１ｉ（透明な樹脂を用いて構成される。）を用いて、左側のワープ進入孔５０３Ｒに連絡されている（図２１を参照）。更に、この左側のワープ進入孔５０３Ｒの出口部５０３１Ｒは、左側のワープ部材７０（透明な樹脂を用いて構成される。）を用いて、左側のワープ排出孔５０３Ｔの入口部５０３１Ｔに連絡されている。更に、この「左側のワープ排出孔５０３Ｔの出口部」は、ステージ部２１ｄの上面部（転動面）の左端側に連絡されている。この左側のワープ部材７０は略管状に構成され、その中間部が、貫通部６１１内に進入している。
【０１３２】
つまり、遊技盤１０には、左側のワープ進入孔５０３Ｒと、左側のワープ連絡部材２１ｉと、左側のワープ部材７０と、左側のワープ排出孔５０３Ｔとを用いて構成される「ワープ通路（「遊技領域１１に存在する遊技球を、一端、遊技領域１１の後方に搬送し、再び、遊技領域１１に戻す通路」の意味で用いる。）」の中間部が、貫通部６１１内に進入すると共に、表示画面２７ａに近接する位置を通過している。即ち、左側の側壁部２１ｂの左側方に到達し、しかも、ワープ孔２１ｈに進入した遊技球は、左側のワープ連絡部材２１ｉを通過した後、左側のワープ進入孔５０３Ｒ、左側のワープ部材７０、左側のワープ排出孔５０３Ｔの順に通過する。この後、左側のワープ排出孔５０３Ｔの出口部からステージ部２１ｄの上面部（転動面）の左端側に到達する。更に、この左側のワープ通路（５０３Ｒ、２１ｉ、７０、５０３Ｔ）の内部が視認可能とされ（流下経路変更部材２０、ワープ連絡部材２１ｉ、ワープ部材７０が透明であるから）、遊技者は、このワープ通路（５０３Ｒ、２１ｉ、７０、５０３Ｔ）の内部を通過する遊技球を視認可能である。加えて、左側のワープ部材７０を通過する際に、遊技球は、貫通部６１１内を通過する。このため、本実施例では、「遊技球が、本遊技機１のうちで遊技者が特に注視する部位（表示画面２７ａ）の近傍を通過すること」を、左側のワープ部材７０を透かして視認することが可能である。
【０１３３】
右側の側壁部２１ｃは、右方向に入口部を開口させ、左方向に出口部を開口させたワープ孔２１ｐを備えている。そして、図１８に示すように、このワープ孔２１ｐの出口部は、略管状のワープ連絡部材２１ｋ（透明な樹脂を用いて構成される。）を用いて、右側のワープ排出孔５０３Ｓに連絡されている。更に、この右側のワープ進入孔５０３Ｓの出口部５０３１Ｓは、右側のワープ部材７０（透明な樹脂を用いて構成される。）を用いて、右側のワープ排出孔５０３Ｕの入口部５０３１Ｕに連絡されている。更に、この「右側のワープ排出孔５０３Ｕの出口部」は、ステージ部２１ｄの上面部（転動面）の右端側に連絡されている。この右側のワープ部材７０も、略管状に構成され、その中間部が、貫通部６１１内に進入している。
【０１３４】
つまり、遊技盤１０には、右側のワープ進入孔５０３Ｓと、右のワープ連絡部材２１ｋと、右側のワープ部材７０と、右側のワープ排出孔５０３Ｕとを用いて構成される「ワープ通路」の中間部が、貫通部６１１内に進入すると共に、表示画面２７ａに近接する位置を通過している。即ち、右側の側壁部２１ｃの右側方に到達し、しかも、この側壁部２１ｃのワープ孔２１ｐに進入した遊技球は、右側のワープ連絡部材２１ｋ、右側のワープ進入孔５０３Ｓ、右側のワープ部材７０、右側のワープ排出孔５０３Ｕの順に通過する。この後、右側のワープ排出孔５０３Ｕの出口部からステージ部２１ｄの上面部（転動面）の右端側に到達する。更に、この右側のワープ通路（５０３Ｓ、２１ｋ、７０、５０３Ｕ）の内部も、視認可能とされ（流下経路変更部材２０、ワープ連絡部材２１ｋ、ワープ部材７０が透明であるから）、遊技者は、このワープ通路（５０３Ｓ、２１ｋ、７０、５０３Ｕ）の内部を通過する遊技球を視認可能である。加えて、右側のワープ部材７０を通過する際にも、遊技球は、貫通部６１１内を通過する。このため、本実施例では、「遊技球が、本遊技機１のうちで遊技者が特に注視する部位（表示画面２７ａ）の近傍を通過すること」を、右側のワープ部材７０を透かして視認することも可能である。
【０１３５】
中央表示装置２７は、「画像表示装置」の具体例を構成すると共に液晶表示装置を用いて構成されている。この中央表示装置２７の前面部には、図１８〜図２０に示すように、表示画面２７ａと、この表示画面２７ａを枠状に包囲する表示枠部２７ｇとが設けられている。ここで、表示画面２７ａは、画像表示部の具体例を構成する。そして、この中央表示装置２７は、表示枠部２７ｇの前面部を後方板状部材７００の裏面部７００ｂのうちで、第２の貫通部７１１を包囲する部位に当接させつつ、この裏面部７００ｂに固着されている。尚、本実施例の中央表示装置２７（液晶表示装置）は、「前面部側に表示画面２７ａを備える液晶パネル」を含む構成とすれば足り、当該「液晶パネル」以外の部材（駆動回路等）を一体的に備えるか否かを特に問わない。
【０１３６】
つまり、この「画像表示装置」の具体例を構成する液晶表示装置は、「表示用の本体部（液晶パネルを含む部分）を主体とする装置（駆動回路等を含まない装置）」として構成されてもよいし、表示用の本体部（液晶パネルを含む部分）と、他の部材（駆動回路等）とを含む装置として構成されてもよい。換言すると、少なくとも、「表示用の本体部（液晶パネルを含む部分）」を含む装置であればよい。この場合、例えば、この液晶パネルを、表示領域部（表示画面２７ａを構成する部位）と、この表示領域部を枠状に包囲する表示枠部と、を備える構成とする。そして、この液晶パネルの前面部（表示枠部の前面部）を、後方板状部材７００の裏面部７００ｂのうちで、第２の貫通部７１１を包囲する部位に当接させつつ、この液晶パネルを後方板状部材７００の裏面部７００ｂに固着してもよい。
【０１３７】
本実施例では、図２０に示すように、この中央表示装置２７の固着のために、略Ｌ字のステー２７ｈと、取付用のビス２７ｉとを用いている。そして、このように、中央表示装置２７の固着すると、表示画面２７ａの外縁部と、第２の貫通部７１１の内縁部とが、前後に位置合わせされる。また、表示画面２７ａの外縁部は、第１の貫通部６１１の内縁部とも、前後に位置合わせされる。このため、遊技盤１０の前方の遊技者は、前方板状部材５００を透かして、表示画面２７ａの全域を視認することができる（図７等を参照）。但し、本実施例では、表示画面２７ａのサイズを「１７インチ」としている。尚、各請求項の発明では、表示画面２７ａのサイズは特に問わないが、「１０インチ」〜「２０インチ」の間で選択することが好ましく、「１５インチ」〜「１７インチ」の間で選択することが特に好ましい。
【０１３８】
この中央表示装置２７は、後述する右下表示装置６０と同様に、当否判定の結果（後述する。）を示す図柄（以下、「判定結果図柄」という。）を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、本実施例と異なり、単一の図柄表示装置によって、本図柄の表示と、疑似図柄の表示とを行ってもよい。また、各請求項の発明の遊技機１は、本図柄の表示のみを行い、疑似図柄の表示を行わないものであってもよい。
【０１３９】
中央表示装置２７の表示画面は可変状態に用いられ、その全体、若しくは、一部を用いて種々の図柄を表示可能である。また、普通図柄作動ゲート（普通図柄作動口）１６は、図７に示すように、遊技領域１１において、流下経路変更部材２０の両脇に位置する部位に配設されている。また、この普通図柄作動ゲート（普通図柄作動口）１６内には普通図柄作動ゲート通過検出スイッチ１６ｓ（図２４参照）が配設されている。そして、普通図柄作動ゲート通過検出スイッチ１６ｓを遊技球が通過することを前提に、「普通図柄の変動開始条件（つまり、普通図柄変動開始条件）」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【０１４０】
始動入賞装置１７は、前後に連通する２つの始動入賞球通過孔５０３ａ、６０３ａの前方に位置する部位に配設されている。そして、図７に示すように、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路２４ｃの出口部２４ｅの直下に位置するため、排出通路２４ｃを通過した遊技球は、この第１の始動口を通じて、始動入賞装置１７に入賞する確率が高くされている。
【０１４１】
第２の始動入賞部１７ｂは、第１の始動入賞部１７ａの直下に位置すると共に、入口側部分に、普通電動役物１７ｄが配置されている。この普通電動役物１７ｅは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図２４参照）を備えている。そして、この一対の翼片部が左右に開くと、遊技球の入球可能性が大きくなる開放状態となり、一対の翼片部が立設され、遊技球の入球可能性が小さくなる通常状態となる。
【０１４２】
始動入賞装置１７の内部には、第１の始動入賞部１７ａ、若しくは、第２の始動入賞部１７ｂを遊技球の通過を検出する始動入賞検出スイッチ１７ｓ（図２４参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【０１４３】
図７に示すように、下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、前後に連通する２つの大入賞球通過孔５０３ｂ、６０３ｂと連通している。尚、この２つの大入賞球通過孔５０３ｂ、６０３ｂによって、「大入賞口３１ａから入賞する遊技球を通過させるための大入賞口入賞通路（図示を省略）」が構成される。
【０１４４】
そして、可変入賞装置（大入賞装置）３１は、この大入賞口３１ａを開放・閉鎖するための開閉板３１ｂと、この開閉板３１ｂを駆動するための大入賞口ソレノイド３１ｃ（図２５参照）と、大入賞口入賞通路の経路途中若しくは経路端末部に設けられた入賞球検出スイッチ３１ｓ（図２４参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１４５】
左下表示装置５０は、図７に示すように、可変入賞装置（大入賞装置）３１の左側方に配置されている。この左下表示装置５０は、図２２（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１４６】
普通図柄保留表示部５２は、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、普通図柄に関する「未消化の遊技球（つまり、保留球）」とは、普通図柄作動ゲート（普通図柄作動口）１６を通過したが、後述する普通図柄表示部５６において、当該通過に伴う当否抽選の結果の表示（抽選結果図柄の確定表示）と、これに先行する変動表示（本実施例では、ＬＥＤを用いて点滅表示）とがなされていない遊技球を指す。
【０１４７】
特別図柄保留表示部５３も、２個のＬＥＤを用いて構成され、所謂「特別図柄に関する保留数」を、４個を上限として表示するものである。つまり、「始動入賞装置１７に入賞したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、特別図柄に関する「未消化の遊技球（つまり、保留球）」とは、始動入賞装置１７に入賞したが、後述する特別図柄表示部６１において、当該通過に伴う当否判定の結果の表示（判定結果図柄の確定表示）と、これに先行する変動表示とがなされていない遊技球を指す。
【０１４８】
尚、本実施例では、「遊技球が、普通図柄作動ゲート（普通図柄作動口）１６を通過すること条件に、主制御部２００Ａによって実行される判断、つまり、普通電動役物１７ｅを開放状態とすべきか否かの判断を、「当否抽選」と称する。また、「遊技球が、始動入賞装置１７に入賞すること条件に、主制御部２００Ａによって実行される判断、つまり、可変入賞装置（大入賞装置）３１を開放を許容するか否かの判断（遊技機の遊技状態を、可変入賞装置３１を閉鎖状態に維持する通常遊技状態から、可変入賞装置３１の開閉を行う特別遊技状態にすべきか否かの判断）を、「当否判定」と称する。
【０１４９】
遊技状態表示部５５は、２個のＬＥＤ５５ａ、５５ｂを用いて構成され、遊技機１の現在の遊技状態を表示するために用いられる。つまり、２個のＬＥＤ５５ａ、５５ｂを消灯させることで、「遊技機１の現在の遊技状態が通常遊技状態である」旨が表示される。また、一方のＬＥＤ５５ａを点灯させ、他方のＬＥＤ５５ｂを消灯させて、「遊技機１の現在の遊技状態が確変遊技状態である」旨が表示される。更に、一方のＬＥＤ５５ａを消灯させ、他方のＬＥＤ５５ｂを点灯させて、「遊技機１の現在の遊技状態が確変遊技状態である」旨が表示される。
【０１５０】
ここで、本実施例では、遊技機１の遊技モードが、通常遊技モードから確変モードになると、確変手段（特別図柄の当否判定において、大当り判定がなされる確率を高く設定することを内容とする手段）と、開放延長手段（普通電動役物１７ｅの開放時間を長くしたり、開放回数が多く設定することを内容とする手段）とが作動する。そして、遊技機１の遊技モードが、確変モードから時短モードになると、確変手段は作動を停止し、時短手段（特別図柄や普通図柄の変動時間を短く設定することを内容とする手段）が作動を開始する。更に、遊技機１の遊技モードが、確変モードから通常遊技モードに戻されると、時短手段と、開放延長手段は作動を停止する。尚、本実施例では、確変手段の作動時に、確変手段は、「特別図柄の当否判定において、大当り判定がなされる確率を高く設定すること」に加えて、「特別図柄や普通図柄の変動時間を短く設定すること」も行う。つまり、遊技機１が実行する「確変モード」は、実質的に、時短モードをも実行するモードと言える。但し、本実施例では、確変モードが解除された後であって、時短手段と、開放延長手段とが作動している場合のみを「時短モード」と称することとする。
【０１５１】
普通図柄表示部５６は、１個のＬＥＤ５６ａを用いて構成され、前述の如く、「普通図柄作動ゲート（普通図柄作動口）１６に伴う当否抽選の結果の表示」を、変動表示（本実施例では、ＬＥＤを用いて点滅表示）を経て実行する。つまり、この「当否抽選に関する結果の表示に、先行する変動表示」の実行時期が到来すると、普通図柄表示部５６は点滅表示を開始する。そして、「当否抽選に関する結果の表示」の実行時期が到来すると（換言すると、普通図柄の変動時間を終了すると）、普通図柄表示部５６を用いて、「当否抽選に関する結果」の確定表示がなされる。具体的には、ＬＥＤ５６ａを点灯状態とすることで、当該「当否判定に関する結果」が当り（普通図柄に関する当否抽選の結果が当り）であることが確定表示され、ＬＥＤ５６ａを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｅ（後述する。）が、所定時間（例えば、０．５秒）開放駆動される。
【０１５２】
本実施例では、このように、ＬＥＤ５６ａを点灯状態としたり、消灯状態とすることで、普通図柄の確定表示を示し、ＬＥＤ５６ａを点滅状態とすることで、普通図柄の変動表示を示す。つまり、ランプ装置による点灯表示と、消灯表示と、点滅表示とを用いて、普通図柄の表示を行う。但し、本実施例においては、数字（例えば、１〜９の数字）、アルファベット文字、図形等を用いて普通図柄の表示を行うこともできる。
【０１５３】
右下表示装置６０は、図７に示すように、可変入賞装置（大入賞装置）３１の右側方に配置されている。この右下表示装置６０は、図２２（ｂ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【０１５４】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、特別図柄表示部６２は、「７個のＬＥＤ６２ａ〜６２ｇ」を順次、点灯させる。具体的には、略長円状に配設された「７個のＬＥＤ６２ａ〜６２ｇ」において、この略長円状を周回する方向に沿って、「７個のＬＥＤ６２ａ〜６２ｇ」が点灯する。
【０１５５】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。尚、特別図柄表示部６２における特別図柄の表示態様に関しては後述する。
【０１５６】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。具体的には、一方のＬＥＤ６３ａを点灯させ、他方のＬＥＤ６３ｂを消灯させて、「特別図柄表示部６２においてなれる大当り表示」が、「第１の大当り」であることが示される。また、一方のＬＥＤ６３ａを消灯させ、他方のＬＥＤ６３ｂを点灯させて、「特別図柄表示部６２においてなれる大当り表示」が、「第２の大当り」であることが示される。
【０１５７】
尚、「第１の大当り」に起因して実行される「第１の特別遊技状態」は、１５回、可変入賞装置３１を開放状態としつつ実行され、この「第１の特別遊技状態」が実行されると、遊技者は、大量の賞球を期待することができる。この「第１の特別遊技状態」の終了後に、遊技機の確率モード（当否判定において、大当り判定が得られる確率の状態）は、「通常モード」になる場合と、「高確率モード」になる場合がある。つまり、「第１の特別遊技状態」においては、開閉板３１ｂ（開閉部材）に、「第１の単位駆動」が施される。この「第１の単位駆動」は、開閉板３１ｂ（開閉部材）の姿勢を、大入賞口３１ａを閉鎖する姿勢（以下、「閉鎖姿勢」という。）から、大入賞口３１ａを開放する姿勢（以下、「開放姿勢」という。）に移行させ、この開放姿勢を第１の時間（例えば、２０秒〜３５秒から選択される時間）維持した後、この開閉板３１ｂ（開閉部材）の姿勢を、閉鎖姿勢に戻すこと、で構成される「開閉板３１ｂ（開閉部材）の開閉動作）」によって構成される。そして、この「第１の単位駆動」が、所定のインターバル時間（以下、「第１のインターバル時間」という。）を挟みつつ、計１５回実行されると、遊技機１の遊技状態は、第１の大当り遊技状態から通常遊技状態に戻される。この「第１の特別状態」の終了後においては、確率モードが、通常遊技モードとされる場合と、高確率モードとされる場合とがある。
【０１５８】
一方、「第２の大当り」に起因して実行される「第２の特別遊技状態」は、２回、可変入賞装置３１を開放状態としつつ実行され、この「第２の特別遊技状態」が実行されても、実質的に賞球を生じないようにされる（全く生じないことを前提とするが、偶発的に生ずることがある。）。但し、この「第２の特別遊技状態」の終了後に、遊技機の確率モード、必ず、「高確率モード」になる。つまり、「第２の特別遊技状態」においては、開閉板３１ｂ（開閉部材）に、「第２の単位駆動」が施される。この「第２の単位駆動」は、開閉板３１ｂ（開閉部材）の姿勢を、「閉鎖姿勢」から、「開放姿勢」に移行させ、この開放姿勢を、「第１の時間よりも短い第２の時間（例えば、０．０５秒〜０．３５秒から選択される時間）」維持した後、この開閉板３１ｂ（開閉部材）の姿勢を、閉鎖姿勢に戻すこと、で構成される「開閉板３１ｂ（開閉部材）の開閉動作）」によって構成される。この「第２の単位駆動」が終了すると、遊技機１の遊技状態は、第２の特別遊技状態から通常遊技状態に戻される。そして、この「第２の特別状態」の終了後においては、確率モードが、一律に高確率モードとされる。
【０１５９】
本実施例では、個々の第２の単位駆動のために費やされる時間（第１の時間）は、個々の第１の単位駆動のために費やされる時間（第１の時間）よりも短く設定されている。しかも、「第２の特別遊技状態の間に実行される第２の単位駆動の回数」は、「第１の特別遊技状態の間に実行される第１の単位駆動の回数」よりも少なく設定されている。このため、「第２の特別遊技状態」の実行中において可変入賞装置３１へ遊技球が入賞する確率（前述の「第２の確率」）は、「第１の大当り遊技状態」の実行中において可変入賞装置３１へ遊技球が入賞する確率（前述の「第１の確率」）に比べて低くされている。そして、本実施例では、第２の時間が「ごく短時間（０．０５秒〜０．３５秒から選択される時間）」に設定されると共に、「第２の単位駆動」の「繰り返し実行回数」が最小回数（２回）に設定されている。このため、「第２の確率」は特に低くされ、遊技球の入賞は、ごく希にしか生じない。
【０１６０】
尚、本実施例においては、中間板状部材６００の裏面部６００ｂのうちで、取付板部３１ｋ（図７に示すように、可変入賞装置３１を遊技盤１０の前面部１０ａに装着するために使用される板状の部材である。）の背後（後方）に位置する部位に、駆動用凹部６５０を備え、この駆動用凹部６５０の内部に、可変入賞装置（大入賞装置）３１を駆動するための駆動基板８００｛図２０（ａ）を参照｝が収納されている。また、中間板状部材６００の裏面部６００ｂのうちで、取付板５１（図７に示すように、左下表示装置５０を遊技盤１０の前面部１０ａに装着するために使用される板状の部材である。）の背後（後方）に位置する部位にも、この駆動用凹部６５０を備え、この駆動用凹部６５０の内部に、左下表示装置５０を駆動するための駆動基板８００｛図２０（ａ）を参照｝が収納されている。更に、中間板状部材６００の裏面部６００ｂのうちで、取付板６１（図７に示すように、右下表示装置６０を遊技盤１０の前面部１０ａに装着するために使用される板状の部材である。）の背後（後方）に位置する部位にも、この駆動用凹部６５０を備え、この駆動用凹部６５０の内部に、右下表示装置６０を駆動するための駆動基板８００｛図２０（ａ）を参照｝が収納されている。
【０１６１】
図２２（ａ）に示すように、２個の一般入賞装置４０、４１は、左下表示装置５０を構成する取付板５１に一体化され、図２２（ｂ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図２４参照）が配設されている。また、各一般入賞装置４０、４１、４３、４４は、それらの後方で連通する一般入賞球通過孔（５０３ｃ及び６０３ｃ、５０３ｅ及び６０３ｅ、５０３ｇ及び６０３ｇ、５０３ｈ及び６０３ｈ）に連通している。
【０１６２】
図７に示すように、遊技盤１０の下方にはアウト口１８が設けられている。また、アウト口１８は、その後方で連通する、アウト球通過孔５０３ｋ、６０３ｋと連通している。更にアウト口１８の下部にはバック球防止部材（図示を省略）が設けられている。そして、遊技領域１１に到達せず戻ってきた遊技球が再び発射位置に戻ることを防止している。また、ファール球防止部材１５は、内レール１３の先端部に取り付けられている。但し、図８においては、ファール球防止部材１５の図示を省略している。また、多数の障害釘ＳＫは、以上説明した各盤部品との位置バランスを考慮して、遊技領域１１にパチンコ遊技に適するべく、配設されているが、図７、図８においては、障害釘ＳＫの図示を省略している。
【０１６３】
尚、本遊技機１では、前述のように、上皿部材５に操作スイッチＳＷを配設している。本実施例の遊技機１では、この操作スイッチＳＷを操作しても、遊技上の演出に変化を与えることはできないが、各発明においては、この操作スイッチＳＷを、遊技上の演出に変化を与えるために用いることとしてもよい。例えば、中央表示装置２７の表示画面２７ａで行われる表示に変更を加えるために用いることとしてもよい。
【０１６４】
ｅ．遊技機１の裏面構造
次に、本実施例の遊技機１の裏面構造について図２３を参照して説明する。つまり、遊技機１の裏面構造は、大きな裏機構盤１０２の上に各種装置が搭載された構造となっており、裏機構盤１０２は、一対のヒンジ１０３によって中枠３に開閉可能に軸支されている。
【０１６５】
裏機構盤１０２には、遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１６６】
賞球タンク１０５には底部にタンクスイッチが設けられており、球切れを検出することができる。また、賞球タンク１０５と賞球払出装置１０９とは、タンクレール１０６によって接続されている。更に、図２３において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図２３は、図示が煩雑となることを避けるために、振り分け部の表示は省略されている。
【０１６７】
主制御基板ケース、中継端子板や、払出制御基板ケース１１８等の各種基板類は、裏機構盤１０２に回動自在に懸架された図示しない金属板に、着脱自在に装着されている。
【０１６８】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏機構盤１０２の略中央下端部には、下皿部材用球通路部材が設けられている。
【０１６９】
（２）制御回路の構成
次に、図２４〜図２６を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１７０】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１７１】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図２４〜図２６中の矢印の向きは、データあるいは信号を入出力する方向を表している。また、図２５においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１７２】
主制御部２００Ａ（主制御基板２００）は、普通図柄作動ゲート通過検出スイッチ１６ｓ、始動入賞検出スイッチ１７ｓ、入賞球検出スイッチ３１ｓ、４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイド３１ｃ、左下表示装置５０、右下表示装置６０に信号を出力することにより、これらの動作を直接制御している。尚、図２４において図示を省略するが、（１）主制御部２００Ａ（主制御基板２００）と、大入賞口ソレノイド３１ｃとの間、（２）主制御部２００Ａ（主制御基板２００）と、左下表示装置５０との間、（３）主制御部２００Ａ（主制御基板２００）と、右下表示装置６０との間には、各々、駆動基板８００｛図２０（ａ）を参照｝が介在されている。
【０１７３】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示基板２２２やスピーカーＳＰを駆動するアンプ基板２２４が接続されている。
【０１７４】
演出制御部２２０Ａ（演出制御基板２２０）は、装飾用の各種ＬＥＤ基板４ｃ〜４ｉ、前述の電飾基板８１０等が、装飾駆動基板２２６を介して接続されている。そして、演出制御部２２０Ａ（演出制御基板２２０）は、装飾用の各種ＬＥＤ基板４ｃ〜４ｉ、前述の電飾基板８１０等を駆動する装飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。また、演出制御部２２０Ａ（演出制御基板２２０）の詳細な入出力関係については後述する。
【０１７５】
払出制御部２４０Ａ（払出制御基板２４０）は、所謂、貸球や賞球の払い出しに関する各種の制御を司っている。例えば、遊技者が上皿部材５に設けられた球貸スイッチ５ｂや返却スイッチ５ｃを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１７６】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１７７】
賞球タンク１０５に設けられたタンクスイッチ１０４からの信号や、賞球タンク１０５に供給する遊技球が蓄えられる図示しない外部タンクに設けられた外部タンクスイッチ１２４からの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１７８】
下皿部材６に設けられた下皿満タンスイッチ６ｓからの信号も払出制御部２４０Ａ（払出制御基板２４０）に入力されている。このため、下皿部材６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。加えて、前面枠４が開放状態となっていることを検出する前面枠スイッチ４ｓからの信号も、払出制御部２４０Ａ（払出制御基板２４０）に入力されている。このため、何らかの理由で前面枠４が明けられた場合には、賞球の払い出し、或いは、遊技球の球貸し等の動作を中止することが可能となっている。また、払出制御部２４０Ａ（払出制御基板２４０は、主制御部２００Ａ（主制御基板２００からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１７９】
次に、演出制御部２２０Ａ（演出制御基板２２０）に対する信号或いはコマンドの入出力関係について説明する。前述のように、演出制御部２２０Ａ（演出制御基板２２０）には、演出表示基板２２２と、アンプ基板２２４、装飾駆動基板２２６、演出ボタン基板２２８などの各種基板が接続されている。
【０１８０】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰ１〜ＳＰ４で出力する効果音、更には、（ｃ）各種ＬＥＤランプ、「ＬＥＤ基板４ｃ〜４ｉに搭載されたＬＥＤランプ」、及び、「電飾基板８１０を構成するランプ装置８１２」等の点灯若しくは点滅の具体的な態様を決定する。次いで、演出制御部２２０Ａ（演出制御基板２２０）の駆動信号を演出表示基板２２２に出力して、演出用図柄の変動停止表示を行う。このとき、表示されるキャラクタ図柄や背景図柄などの一部データについては、中央表示装置（液晶表示装置）２７、或いは、演出表示基板２２２に内蔵された演出表示ＲＯＭ２７ｒに格納されているデータを使用する。
【０１８１】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤランプ、「ＬＥＤ基板４ｃ〜４ｉに搭載されたＬＥＤランプ」、及び、「電飾基板８１０を構成するランプ装置８１２」等の駆動信号を出力することによって、各種ＬＥＤの点灯・点滅動作等を制御する。更に、上皿部材５の前面側に設けられた操作スイッチＳＷを、遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１８２】
（３）実施例の効果
本実施例の遊技機１では、前方板状部材５００と、中間板状部材６００と、後方板状部材７００と、を着脱可能に積層して、遊技盤１０を構成するため、遊技盤１０、若しくは、その構成部分（前方板状部材５００、中間板状部材６００、後方板状部材７００）の汎用性を高めたり、構成部品の円滑な再利用を図ることができる。例えば、特定機種の遊技盤１０を不良在庫として抱えそうになったとしても、「中間板状部材６００のみ」、若しくは、「前方板状部材５００及び中間板状部材６００」を交換すれば、当該遊技盤１０を、別機種の遊技盤１０として使用することができる。
【０１８３】
つまり、盤部品（流下経路変更部材２０、始動入賞装置１７、下部装置３０、左下表示装置５０、右下表示装置６０、一般入賞装置４０、４１、４３、４４等）の構成や配置の変更を要求されない場合は、中間板状部材６００のみを、異なるセル画部Ｇを備える「別の中間板状部材６００」に交換すれば、当該遊技盤１０を、別機種の遊技機１を構成する遊技盤１０として使用することができる（第１の転用態様）。また、盤部品の構成や配置の変更を要求される場合は、中間板状部材８００を、異なるセル画部を備えるものに交換すると共に、前方板状部材を、盤部品の構成や配置が異なる「別の中間板状部材６００」に交換することで、別機種の遊技機１を構成する遊技盤１０として使用することができる（第２の転用態様）。
【０１８４】
即ち、第１の転用態様によると、特定数の遊技盤１０が不良在庫になりかけた場合、前方板状部材５００及び後方板状部材６００を、他の機種の遊技機１を構成する遊技盤１０に転用できる。また、第２の転用態様によると、特定数の遊技盤が不良在庫になりかけた場合、後方板状部材７００を、他の機種の遊技機１を構成する遊技盤１０に転用できる。従って、本実施例によると、遊技盤１０、若しくは、その構成部分（前方板状部材５００、中間板状部材６００、後方板状部材７００）の汎用性を高めることができる。
【０１８５】
また、第１の転用態様においては、盤部品が前方板状部材５００に装着されたままの状態で転用でき、背面部品（球通路を構成するための部品等）が後方板状部材７００に装着されたままの状態で転用できる。更に、第２の転用態様においても、背面部品が後方板状部材７００に装着されたままの状態で転用できる。従って、本実施例によると、構成部品の円滑な再利用を図ることができる。よって、本実施例によると、所謂「セル替」を簡易かつ安価に行い、不良在庫を抱えそうになった場合のリスクを、少なくすることができる。
【０１８６】
また、本実施例では、前方板状部材５００と、中間板状部材６００と、後方板状部材７００と、を着脱可能に積層して、遊技盤１０を構成するため、「透明型の遊技機」において、その製造作業の効率化を図ることができる。例えば、特定の製造メーカが製造する「複数の機種」において、前方板状部材５００の共通化と、後方板状部材６００の共通化を図れば、機種変更時には、中間板状部材６００のみを新たに設計・製造等すればよいため、遊技機１の製造作業の効率化を図ることができる。特に、中間板状部材６００を社外（協力会社）にて製造する場合、製造メーカにおいては、遊技盤１０の作製に際し、共通部品としての前方板状部材５００及び後方板状部材７００と、機種毎に変更される中間板状部材６００と、の組立作業を行えば足りるため、遊技機１の製造作業が更に効率的なものとなる。
【０１８７】
また、前方板状部材５００と、中間板状部材６００と、後方板状部材７００との各々を異なる業者が製造することとすれば、遊技機１の製造作業が、更により一層、効率的なものとなる。つまり、この場合、前方板状部材５００に盤部品を装着する作業、後方板状部材７００に背面部品を装着する作業等、「手間の掛かる作業」が、複数業者の分業作業となるため、遊技機の製造作業が、更により一層、効率的なものとなる。
【０１８８】
更に、本実施例によると、遊技盤１０の内部に、駆動基板８００及び電飾基板８１０を埋設するため、「遊技盤１０の背後の空きスペース」を拡大することができる。従って、本実施例によると、遊技盤１０の背後に配置する遊技機部品（背面部品）等が受ける設計上の制約や、遊技盤１０の前面部１０ａにおける設計上の制約等を、少なくすることができる。このため、例えば、球通路を構成するための部品、各種の基板（主制御基板２００、演出制御基板２２０等）のサイズや配置箇所を選択する自由度を高くしたり、盤部品のサイズや配置箇所を選択する自由度を高くすることができる。
【０１８９】
更に、本実施例によると、駆動基板８００及び電飾基板８１０を遊技盤１０に埋設することを通じて、遊技機１全体の厚さ（前後方向に沿った幅）を小さくできるため、遊技機の島設備における遊技機１の設置スペースを小さくできる。このため、本実施例によると、パチンコホールの側は、当該パチンコホールの空き空間を拡大して、遊技者に、より良好な遊技スペースを提供することもできる。
【０１９０】
また、本実施例では、遊技盤の内部にランプ装置８１２を埋設すると共に（換言すると、遊技球が転動する遊技盤１０の前面部１０ａに近接する位置にランプ装置８１２を配置すると共に）、このランプ装置８１２が、「遊技者が注視する遊技領域１１」の背後に配設されるため、このランプ装置８１２によって、より臨場感に富んだ電飾を行うことができる。また、本実施例では、ランプ装置８１２のみならず、配線基板８１１をも、遊技盤１０の内部に埋設し、この配線基板８１１を遊技盤１０の前面部や背後に配置しなくてもよい点からも、遊技盤１０の背後や遊技盤の前面部の空きスペースを拡大できる。
【０１９１】
更に、本実施例によると、前方板状部材５００と、中間板状部材６００と、後方板状部材６００の平面形状が略等しくされている。しかも、本実施例では、各嵌合用突部７００Ｋ（位置決め用突部）と、位置決め孔５０１（位置決め用嵌合部）と、中間位置決め孔６０１（位置決め用嵌合部）とを用いて、前方板状部材５００と、中間板状部材６００と、後方板状部材６００との位置決めを行うことができる。このため、前方板状部材５００と、中間板状部材６００と、後方板状部材６００を積層する作業を、より円滑に行うことができる。
【０１９２】
Ｂ．実施例２
次に、実施例２に係る遊技機について説明する。この実施例２の遊技機は、図２７〜図２９、及び図３０（ａ）に示すようなものであり、以下の点が異なる他は実施例１と同様である。つまり、（１）遊技盤１０Ｂを、前方板状部材５００Ｂと、後方板状部材６００Ｂとを積層して構成した点と、（２）前方板状部材５００Ｂの裏面部５００ｂに、セル画部Ｇを設けた点と、（３）前方板状部材５００Ｂに、駆動用凹部（図示を省略）と電飾用凹部６５１とを設けた点と、が実施例１と異なっている。
【０１９３】
図２７及び図２８に示すように、実施例２の前方板状部材５００Ｂは、実施例１の前方板状部材５００と同様な構成を備えている。つまり、前方板状部材５００Ｂは、前方板状部材５００と同様な素材で構成され、同様な平面形状を備えると共に、同様な位置決め孔５０１を備える。また、この前方板状部材５００Ｂも、外側レール１２及び内側レール１３が装着されると共に、遊技領域構成部に、始動入賞球通過孔と、大入賞球通過孔と、４つの一般入賞球通過孔と、アウト球通過孔と、が貫通状に設けられている（実施例１の前方板状部材５００と同様の構成であり、図１０を参照）。
【０１９４】
前方板状部材５００Ｂには、前方板状部材５００と同様に、貫通孔（Ｋ１１、Ｋ１２、Ｋ１３、Ｋ１４、Ｋ１５、Ｋ１６、Ｋ１７、Ｋ２１、Ｋ２２、Ｋ２３、Ｋ２４、Ｋ２５、Ｋ２６、Ｋ２７、Ｋ２８）が設けられている。また、前方板状部材５００Ｂにも、前方板状部材５００と同様に、盤部品固定穴と、ワープ進入孔と、ワープ排出孔とが設けられている（実施例１の前方板状部材５００と同様の構成であり、図１０を参照）。
【０１９５】
図３０（ａ）に示すように、前方板状部材５００の裏面部５００ｂにはセル画部Ｇが形成されている。但し、このセル画部Ｇを、前述の「装飾シート」を用いて構成することもできる。また、前方板状部材５００Ｂの裏面部５００ｂにおいて、駆動用凹部（図示を省略）と電飾用凹部６５１とが開口している。
【０１９６】
図２７及び図２８に示すように、実施例２の後方板状部材７００Ｂは、実施例１の後方板状部材７００と同様な構成を備えている。つまり、後方板状部材７００Ｂは、後方板状部材７００と同様な素材で構成され、同様な平面形状を備えると共に、同様な位置決め突起７０１を備えている。また、後方板状部材７００Ｂは、後方板状部材７００と同様、遊技領域後方部に、始動入賞球通過孔と、大入賞球通過孔と、４つの一般入賞球通過孔と、アウト球通過孔とを貫通状に備える（実施例１の後方板状部材７００と同様の構成であり、図１２を参照）。
【０１９７】
また、後方板状部材７００Ｂの裏面部７００ｂにおいても、各通過孔（始動入賞球通過孔、大入賞球通過孔、各一般入賞球通過孔、アウト球通過孔）が開口する部位からは、遊技球案内用のリブが突出している（実施例１の後方板状部材７００と同様の構成であり、図１５を参照）。更に、図２７に示すように、後方板状部材７００Ｂの略中央部には、実施例１の「第２の貫通部７１１」と同様な「貫通部７１１Ｂ」が設けられ、後方板状部材７００Ｂの裏面部７００ｂには、実施例１と同様に、中央表示装置２７が固着される。
【０１９８】
また、図２８に示すように、後方板状部材７００Ｂの表面部７００ａにおいて、各貫通孔（Ｋ１１〜Ｋ１７、Ｋ２１〜Ｋ２８）と前後に位置合わせされる部位からは、各々、嵌合用突部７００Ｋが突出している（前方に向かって突出している。）。そして、各嵌合用突部７００Ｋには、図２９に示すように、固定穴７０１Ｋが設けられている。
【０１９９】
前方板状部材５００Ｂと、後方板状部材７００Ｂとを積層すると、後方板状部材７００Ｂの各嵌合用突部６００Ｋは、前方板状部材５００Ｂの対応する貫通孔（Ｋ１１〜Ｋ１７、Ｋ２１〜Ｋ２８）に嵌合される。このとき、各嵌合用突部７００Ｋの突端部は、前方板状部材５００Ｂの表面部５００ａと略面一となり、各固定穴７０１Ｋは、前方板状部材５００の表面部５００ａ（遊技盤１０Ｂの表側）において開放された状態となる。そして、この遊技盤１０Ｂに対しても、実施例１と同様、外側レール１２と内側レール１３とが、８８０を用いて固定されている。
【０２００】
また、以上の遊技盤１０Ｂの前面部１０ａにおいて遊技領域１１内に位置する部位には、実施例１と同様な盤部品（流下経路変更部材、普通図柄作動ゲートと、始動入賞装置と、下部装置と、左下表示装置と、右下表示装置と、４個の一般入賞装置と、多数の障害釘と、風車等）が配設される（実施例１の遊技盤１０と同様の構成であり、図７を参照）。。また、図２７に示すように、遊技盤１０Ｂに裏面部１０ｂ（後方板状部材７００Ｂの裏面部７００ｂ）には、中央表示装置２７が固着されている。更に、遊技盤１０を前後に縦断する状態で、実施例１と同様なワープ部材が配設される（図示を省略）。
【０２０１】
実施例２においても、前方板状部材５００Ｂと、後方板状部材７００Ｂとを着脱可能に積層して、遊技盤１０Ｂを構成するため、遊技盤１０、若しくは、その構成部分（前方板状部材５００Ｂ、後方板状部材７００Ｂ）の汎用性を高めたり、構成部品の円滑な再利用を図ることができる。例えば、特定機種の遊技盤１０を不良在庫として抱えそうになったとしても、「前方板状部材５００」を交換すれば、当該遊技盤１０を、別機種の遊技盤１０として使用することができる。
【０２０２】
また、実施例２においても、「透明型の遊技機」の製造作業の効率化を図ることができる。例えば、特定の製造メーカが製造する「複数の機種」において、後方板状部材６００Ｂの共通化を図れば、機種変更時には、前方板状部材５００Ｂのみを新たに設計すればよいため、遊技機の製造作業の効率化を図ることができる。特に、前方板状部材５００Ｂを社外（協力会社）にて製造する場合、製造メーカにおいては、遊技盤１０Ｂの作製に際し、共通部品としての後方板状部材７００Ｂと、機種毎に変更される前方板状部材５００Ｂと、の組立作業を行えば足りるため、遊技機の製造作業が更に効率的なものとなる。
【０２０３】
また、前方板状部材５００Ｂと、後方板状部材７００Ｂとの各々を異なる業者が製造することとすれば、遊技機１の製造作業が、更により一層、効率的なものとなる。更に、実施例２においても、遊技盤１０Ｂの内部に、駆動基板８００及び電飾基板８１０を埋設するため、「遊技盤１０の背後の空きスペース」を拡大することができる。更に、実施例２によると、駆動基板８００及び電飾基板８１０を遊技盤１０Ｂに埋設することを通じて、遊技機全体の厚さ（前後方向に沿った幅）を小さくできるため、遊技機の島設備における遊技機１の設置スペースを小さくできる。このため、実施例２によっても、パチンコホールの側は、当該パチンコホールの空き空間を拡大して、遊技者に、より良好な遊技スペースを提供することもできる。
【０２０４】
また、実施例２においても、遊技盤１０Ｂの内部にランプ装置８１２を埋設するため、このランプ装置８１２によって、臨場感に富んだ電飾を行うことができる。また、実施例２においても、ランプ装置８１２のみならず、配線基板８１１をも、遊技盤１０の内部に埋設し、この配線基板８１１を遊技盤１０の前面部や背後に配置しなくてもよい点からも、遊技盤１０Ｂの背後や遊技盤の前面部の空きスペースを拡大できる。
【０２０５】
更に、実施例２においても、前方板状部材５００Ｂと、後方板状部材６００Ｂの平面形状が略等しくされ、しかも、各嵌合用突部７００Ｋ（位置決め用突部）と、位置決め孔５０１（位置決め用嵌合部）とを用いて、前方板状部材５００Ｂと、後方板状部材７００Ｂとの位置決めを行うことができる。このため、前方板状部材５００Ｂと、後方板状部材７００Ｂを積層する作業を、より円滑に行うことができる。
【０２０６】
尚、請求項６〜８の各発明においては、セル画部Ｇの形成箇所を、実施例２と異なるものとすることもできる。つまり、図３０（ｂ）に示すように、前方板状部材５００Ｂの前面部５００ａにセル画部Ｇの形成してもよいし、図示を省略するが、後方板状部材７００Ｂの前面部７００ａにセル画部Ｇの形成してもよい。
【０２０７】
また、請求項６〜８の各発明においては、図３０（ｂ）に示すように、後方板状部材７００Ｂにおいて、凹部（駆動用凹部６５０及び電飾用凹部のうちの少なくとも一方）と対向する部位に、「後方板状部材７００Ｂの前面部７００ａで開口する後方側凹部７５１」を設けてもよい。この場合、凹部（駆動用凹部６５０のみを図示）と、後方側凹部７５１とが協働して大型の収納空間を構成する。このため、この収納空間に大型の基板（駆動基板８００を図示するが、電飾基板８１０であってもよい。）を収納することができる。つまり、この大型の収納空間によると、図３０（ｂ）に示すように、「部品（電子部品等）を両面に実装した両面実装型の基板（駆動基板８００）」や「大型の部品（電子部品等）を実装した基板」等も、好適に収納することができる。尚、図示を省略するが、請求項２の発明においても、同様に、後方板状部材おいて、凹部（駆動用凹部及び電飾用凹部のうちの少なくとも一方、若しくは、その他の遊技機部品を収納するための凹部）と対向する部位に、「後方板状部材の前面部で開口する後方側凹部」を設けてもよい。
【０２０８】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０２０９】
即ち、後方板状部材７００、７００Ｂの構成素材は、本実施例で例示する樹脂に限定されない。例えば、木材（合板等）や金属等であってもよい。また、各実施例の遊技盤１０、１０Ｂにおいて、位置決め用突部と、位置決め用嵌合部との構成態様を変更してもよい。例えば、実施例１において、前方板状部材５００に、後方に突出する位置決め用突部を設け、中間板状部材６００及び後方板状部材７００に、この位置決め用突部が嵌合する位置決め用嵌合部を設けてもよい。また、中間板状部材６００に、前方に突出する位置決め用突部と、後方に突出する位置決め用突部とを設け、前方板状部材５００に、前方に突出する位置決め用突部が嵌合する位置決め用嵌合部を設け、後方板状部材７００に、後方に突出する位置決め用突部が嵌合する位置決め用嵌合部を設けてもよい。同様に、実施例２において、前方板状部材５００Ｂに、後方に突出する位置決め用突部を設け、後方板状部材７００Ｂに、この位置決め用突部が嵌合する位置決め用嵌合部を設けてもよい。
【産業上の利用可能性】
【０２１０】
本発明は、遊技機を製造、販売等する分野において利用できる。
【図面の簡単な説明】
【０２１１】
【図１】本発明の各実施例に係る遊技機を示す斜視図である。
【図２】本発明の各実施例に係る遊技機において、遊技盤を示す正面図である。
【図３】本発明の各実施例に係る遊技機において、中枠を説明するための概略的な説明図である。
【図４】本発明の各実施例に係る遊技機において、中枠を説明するための概略的な背面図である。
【図５】（ａ）は図４の１−１断面図、（ｂ）は中枠が遊技盤を保持した状態を説明するための説明図（図４の１−１断面図に相当する。）である。
【図６】中枠が遊技盤を保持した状態を説明するための概略的な背面図である。
【図７】実施例１の遊技盤を示す正面図である。
【図８】実施例１の遊技盤を示す斜視図である。
【図９】実施例１の遊技盤の分解斜視図である。
【図１０】図７の遊技盤を構成する前方板状部材の正面図である。
【図１１】図７の遊技盤を構成する中間板状部材の正面図である。
【図１２】図７の遊技盤を構成する後方板状部材の正面図である。
【図１３】実施例１において、内側レール及び外側レールの固定方法等の具体例を説明するための分解斜視図である。
【図１４】内側レール及び外側レールが、固定された遊技盤の具体例を示す説明図である。
【図１５】図７の遊技盤を構成する後方板状部材の斜視図である。
【図１６】流下経路変更部材の正面図である。
【図１７】流下経路変更部材と、遊技盤を説明するための縦断面図である。
【図１８】図７のａ−ａ断面図である。
【図１９】図７のｂ−ｂ断面図である。
【図２０】（ａ）は中央表示装置（画像表示装置）の固着方法及び駆動用凹部等を説明するための説明図、（ｂ）は中央表示装置（画像表示装置）の固着方法及び電飾用凹部等を説明するための説明図である。
【図２１】実施例１の遊技盤の分解縦断面図である。
【図２２】（ａ）は本発明の各実施例において、左下表示装置の概略的な正面図であり、（ｂ）は本発明の実施例において、右下表示装置の概略的な正面図である。
【図２３】本発明の各実施例に係る遊技機において、遊技盤を示す背面図である。
【図２４】本発明の実施例に係る電子制御装置を示すブロック図である。
【図２５】本発明の実施例に係る電子制御装置を示すブロック図である。
【図２６】本発明の実施例に係る電子制御装置を示すブロック図である。
【図２７】実施例２の遊技盤を示す斜視図である。
【図２８】実施例２の遊技盤の分解斜視図である。
【図２９】実施例１において、内側レール及び外側レールの固定方法等の具体例を説明するための分解斜視図である。
【図３０】（ａ）は実施例２において、セル画部及び電飾用凹部等を説明するための説明図、（ａ）は実施例２の変形例において、セル画部及び電飾用凹部等を説明するための説明図である。
【符号の説明】
【０２１２】
１；遊技機（弾球遊技機）、
２；外枠、
３；中枠（ベース枠部材）、
１０；遊技盤、
１１；遊技領域、
１２；外側レール、
１３；内側レール、
５００、５００Ｂ；前方板状部材、
５０１；位置決め孔（位置決め用嵌合部）、
６００；中間板状部材、
６０１；位置決め孔（位置決め用嵌合部）、
６１１；第１の貫通部、
７００、７００Ｂ；後方板状部材、
７０１；位置決め突起（位置決め用突部）、
７１１；第２の貫通部、
７１１Ｂ；貫通部。
【図１】
2008067894.tif 000003
【図２】
2008067894.tif 000004
【図３】
2008067894.tif 000005
【図４】
2008067894.tif 000006
【図５】
2008067894.tif 000007
【図６】
2008067894.tif 000008
【図７】
2008067894.tif 000009
【図８】
2008067894.tif 000010
【図９】
2008067894.tif 000011
【図１０】
2008067894.tif 000012
【図１１】
2008067894.tif 000013
【図１２】
2008067894.tif 000014
【図１３】
2008067894.tif 000015
【図１４】
2008067894.tif 000016
【図１５】
2008067894.tif 000017
【図１６】
2008067894.tif 000018
【図１７】
2008067894.tif 000019
【図１８】
2008067894.tif 000020
【図１９】
2008067894.tif 000021
【図２０】
2008067894.tif 000022
【図２１】
2008067894.tif 000023
【図２２】
2008067894.tif 000024
【図２３】
2008067894.tif 000025
【図２４】
2008067894.tif 000026
【図２５】
2008067894.tif 000027
【図２６】
2008067894.tif 000028
【図２７】
2008067894.tif 000029
【図２８】
2008067894.tif 000030
【図２９】
2008067894.tif 000031
【図３０】
2008067894.tif 000032